(57)【要約】      （修正有）【課題】検知手段の取付け忘れや取付けミスを防止し得るよう構成された遊技機の提供。【解決手段】第１始動入賞口に連通する第１球排出路１１１が形成された第１球排出ユニット１１０が、遊技盤の後側に配設される設置部材１００の前側に取付けられる。第１球排出ユニット１１０の第１球排出路１１１には、第１始動入賞球検知センサ４５が配設されると共に、該第１球排出路１１１における第１始動入賞球検知センサ４５と所要距離離間した位置に、該第１球排出路１１１を通過する遊技球を検知する第２始動入賞球検知センサ４７が配設される。また、第１球排出路１１１には磁気検知センサ１５５も配設される。第１始動入賞球検知センサ４５、第２始動入賞球検知センサ４７および磁気検知センサ１５５は、第１球排出ユニット１１０を設置部材１００に取付ける前に、予め該第１球排出ユニット１１０に取付けられる。【選択図】図４
2015029730.tif 000002
【特許請求の範囲】
【請求項１】
遊技領域が前面に設けられ、該遊技領域内に始動入賞手段が配設された遊技盤と、前記遊技盤の後側に該遊技盤との間に空間を画成した状態で配設され、図柄表示装置が取付けられた設置部材とを備えた遊技機において、
前記設置部材の前側に取付けられ、前記始動入賞手段に連通する球排出路が形成されて、前記遊技領域から前記始動入賞手段に入賞した遊技球を前記球排出路を介して排出する球排出部材と、
前記球排出部材の前記球排出路に設けられた第１取付部に配設され、該球排出路を通過する遊技球を検知する第１入賞球検知手段と、
前記球排出部材の前記球排出路に前記第１入賞球検知手段と所要距離離間して設けられた第２取付部に配設され、該球排出路を通過する前記遊技球を検知する第２入賞球検知手段と、
前記球排出部材に設けられた第３取付部に配設され、磁気を検知可能な磁気検知手段とを備え、
前記第１入賞球検知手段または第２入賞球検知手段の何れか一方が前記遊技球を検知することで、前記図柄表示装置において図柄変動演出が行なわれると共に、
予め設定された判定時間内に、前記第１入賞球検知手段および第２入賞球検知手段の両方が遊技球を検知しない場合や、前記磁気検知手段が磁気を検知した場合に、異常判定手段が異常発生と判断するよう構成した
ことを特徴とする遊技機。
【請求項２】
前記球排出路は、前記第１入賞球検知手段と第２入賞球検知手段との間において屈曲している請求項１記載の遊技機。
【請求項３】
前記第１〜第３取付部は、対応する前記第１入賞球検知手段、第２入賞球検知手段および磁気検知手段を、球排出部材の後側から取付けおよび取外しが可能に構成され、
前記球排出部材は、前記設置部材に設けられた設置部に対し、該球排出部材の後側を後方に向けた姿勢で取付けられ、
前記設置部材は、前記設置部の後方を囲繞する囲繞部を備えて、前記球排出部材が該設置部に取付けた状態での前記第１〜第３取付部からの前記第１入賞球検知手段、第２入賞球検知手段および磁気検知手段の取外しを阻止し得るよう構成された請求項１または２記載の遊技機。
【発明の詳細な説明】
【技術分野】
【０００１】
この発明は、遊技盤の後側に配設された設置部材に、遊技盤の前面に画成された遊技領域内に配設された始動入賞手段に入賞した遊技球を排出する球排出部材が設けられた遊技機に関するものである。
【背景技術】
【０００２】
代表的な遊技機であるパチンコ機は、遊技店に設けられた設置枠台に固定される枠部材である外枠と、該外枠に対して着脱および開閉可能に枢支され、遊技盤が交換可能に配設される枠部材である中枠と、中枠の前面側に該中枠に着脱および開閉可能に枢支され、中枠に配設した遊技盤を透視保護する透明板が配設される枠部材としての前枠とを備えている。前枠には、透明板が配設される窓口の下方に、遊技球を貯留可能な上球貯留部や下球貯留部が配設されると共に、下球貯留部の右方に、上球貯留部から供給される遊技球を遊技盤に向けて発射させる打球発射装置を作動させる操作ハンドルが設けられている。
【０００３】
前記遊技盤は、その前面に遊技領域が画成されていると共に該遊技領域内には前後に貫通する開口が形成されており、枠状に構成された枠状装飾部材が該開口の開口縁に取付けられ、該枠状装飾部材の内側には演出領域が画成されている。遊技領域には、案内釘や、図柄表示装置による図柄変動演出の契機となる始動入賞装置および普通入賞口や、大当りの発生時に入賞口を開口して多数の入賞球を発生させる特別入賞装置や、その他の遊技部品等が配設されている。また、演出領域には、遊技盤の後側に配設された設置部材に取付けられた図柄表示装置の表示部や可動演出装置等が臨んでおり、該図柄表示装置の表示部での図柄変動演出や可動演出装置の可動体による演出が当該演出領域内で視認可能となっている。
【０００４】
前述のように構成されたパチンコ機は、操作ハンドルの操作により遊技盤の遊技領域へ打ち込まれた遊技球が始動入賞装置に入賞して入賞球検知手段により検知されると、演出領域に臨む図柄表示装置の表示部での図柄変動演出が開始され、制御手段における大当り抽選に基づいて該表示部に図柄が所定の組み合わせで停止することにより遊技者に有利な特別遊技状態(例えば「大当り」)が発生すると、特別入賞装置の入賞口が開放されて多数の賞球を獲得し得るよう構成される。また、図柄表示装置の表示部での図柄変動演出に合わせて、可動演出装置が作動制御されて適宜タイミングで可動体を動作させることにより、視覚的な演出効果の向上を図るようになっている。
【０００５】
前記パチンコ機においては、道具や器具を使用した不正行為が行なわれることがあり、不正行為に対する対策が必要である。ここで、前記不正行為は、前記始動入賞装置が対象とされることが多く、前記パチンコ機は、始動入賞装置に配設された入賞球検知手段に対する不正行為を検知する異常検知手段を備えている。このような不正防止対策を実施したパチンコ機は、特許文献１に開示されている。
【先行技術文献】
【特許文献】
【０００６】
【特許文献１】特開２０１２−２４９７０７号公報
【発明の概要】
【発明が解決しようとする課題】
【０００７】
しかし、従来のパチンコ機は、始動入賞装置の入賞球検知手段および不正行為を検知する異常検知手段が別部材に配設されるよう構成されている。このため、入賞球検知手段および異常検知手段の取付け作業が別工程で行なわれるため、これら検知手段の取付け忘れや取付けミスをチェックできない不都合がある。
【０００８】
すなわち本発明は、従来の技術に係る遊技機に内在する前記課題に鑑み、これを好適に解決するべく提案されたものであって、不正行為を認識し得ると共に、検知手段の取付け忘れや取付けミスを防止し得るよう構成した遊技機を提供することを目的とする。
【課題を解決するための手段】
【０００９】
前記課題を解決し、所期の目的を達成するため、本発明の請求項１に係る発明は、
遊技領域(34)が前面に設けられ、該遊技領域(34)内に始動入賞手段(40)が配設された遊技盤(30)と、前記遊技盤(30)の後側に該遊技盤(30)との間に空間を画成した状態で配設され、図柄表示装置(90)が取付けられた設置部材(100)とを備えた遊技機において、
前記設置部材(100)の前側に取付けられ、前記始動入賞手段(40)に連通する球排出路(111)が形成されて、前記遊技領域(34)から前記始動入賞手段(40)に入賞した遊技球を前記球排出路(111)を介して排出する球排出部材(110)と、
前記球排出部材(110)の前記球排出路(111)に設けられた第１取付部(140)に配設され、該球排出路(111)を通過する遊技球を検知する第１入賞球検知手段(45)と、
前記球排出部材(110)の前記球排出路(111)に前記第１入賞球検知手段(45)と所要距離離間して設けられた第２取付部(145)に配設され、該球排出路(111)を通過する前記遊技球を検知する第２入賞球検知手段(47)と、
前記球排出部材(110)に設けられた第３取付部(150)に配設され、磁気を検知可能な磁気検知手段(155)とを備え、
前記第１入賞球検知手段(45)または第２入賞球検知手段(47)の何れか一方が前記遊技球を検知することで、前記図柄表示装置(90)において図柄変動演出が行なわれると共に、
予め設定された判定時間(T)内に、前記第１入賞球検知手段(45)および第２入賞球検知手段(47)の両方が遊技球を検知しない場合や、前記磁気検知手段(155)が磁気を検知した場合に、異常判定手段(222)が異常発生と判断するよう構成したことを要旨とする。
【００１０】
請求項１に係る発明によれば、遊技盤の後側に配設した設置部材に、遊技盤の遊技領域内に配設された始動入賞手段に連通する球排出路が形成された球排出部材が取付けられ、該球排出部材の球排出路に第１入賞球検知手段および第２入賞球検知手段を離間させて配設してあると共に、該球排出部材に磁気を検知可能な磁気検知手段を配設してあるので、予め設定された判定時間内に第１入賞球検知手段および第２入賞球検知手段の両方が始動入賞手段に入賞した遊技球を検知しない場合や、磁気検知手段が磁気を検知した場合に、異常判定手段が異常発生を認識することができる。また、第１入賞球検知手段、第２入賞球検知手段および磁気検知手段が、設置部材に取付けられる球排出部材に設けられた第１〜第３取付部に取付けられるので、設置部材に取付け前の球排出部材に、該第１入賞球検知手段、第２入賞球検知手段および磁気検知手段を取付ける作業を纏めて行なうことができ、これら検知手段の取付け忘れや取付けミスを防止することができる。
【００１１】
請求項２に係る発明では、
前記球排出路(111)は、前記第１入賞球検知手段(45)と第２入賞球検知手段(47)との間において屈曲していることを要旨とする。
請求項２に係る発明によれば、第１入賞球検知手段で検知された遊技球が、球排出路の屈曲部分で適宜減速された後に第２入賞球検知手段で検知されるようになるから、第１入賞球検知手段での検知から第２入賞球検知手段での検知までに適宜の時間差が生ずるようになり、両入賞球検知手段の配設位置が近くても遊技球の正常検知か異常検知かを適切に判断することができる。また、不正を目的とした針金等の細い棒材を差し込もうとしても、該棒材が屈曲部分で引っ掛かるようになるので、不正行為を防止することができる。
【００１２】
請求項３に係る発明では、
前記第１〜第３取付部(140,145,150)は、対応する前記第１入賞球検知手段(45)、第２入賞球検知手段(47)および磁気検知手段(155)を、球排出部材(110)の後側から取付けおよび取外しが可能に構成され、
前記球排出部材(110)は、前記設置部材(100)に設けられた設置部(105)に対し、該球排出部材(110)の後側を後方に向けた姿勢で取付けられ、
前記設置部材(100)は、前記設置部(105)の後方を囲繞する囲繞部(101,102,90)を備えて、前記球排出部材(110)が該設置部(105)に取付けた状態での前記第１〜第３取付部(140,145,150)からの前記第１入賞球検知手段(45)、第２入賞球検知手段(47)および磁気検知手段(155)の取外しを阻止し得るよう構成されたことを要旨とする。
請求項３に係る発明によれば、前記球排出部材が前記設置部材の設置部に取付けられた状態では、該設置部の後方を囲繞する囲繞部により該球排出部材の後側が囲繞されるので、該球排出部材に取付けられた第１入賞球検知手段、第２入賞球検知手段および磁気検知手段を不正に取外す行為を阻止し得る。
【発明の効果】
【００１３】
本発明に係る遊技機によれば、始動入賞装置に対する不正行為を認識し得ると共に、各検知手段の取付け忘れや取付けミスを防止し得る。
【図面の簡単な説明】
【００１４】
【図１】実施例のパチンコ機の正面図である。
【図２】実施例のパチンコ機における遊技盤の正面図である。
【図３】図２のＸ１−Ｘ１線で破断した遊技盤の左側面図である。
【図４】図３のＸ２−Ｘ２線で破断して上部を省略した状態の正面断面図である。
【図５】図４のＸ３−Ｘ３線で破断した遊技盤の部分断面図であって、球排出路部材に第１始動入賞球検知センサが取付けられた状態を示している。
【図６】図４のＸ４−Ｘ４線で破断した遊技盤の部分断面図であって、球排出路部材に第２始動入賞球検知センサが取付けられた状態を示している。
【図７】図４のＸ５−Ｘ５線で破断した遊技盤の部分断面図であって、球排出路部材に磁気検知センサが取付けられた状態を示している。
【図８】(ａ)は、第１球排出ユニットを前方右上から見た斜視図であり、(ｂ)は、第１球排出ユニットを後方左上から見た斜視図である。
【図９】第１球排出ユニットを前方右上から見た分解斜視図である。
【図１０】第１球排出ユニットを後方左上から見た分解斜視図である。
【図１１】第１球排出ユニットを、第２本体部材を取外した状態で示す正面図である。
【図１２】(ａ)は、第１始動入賞球検知スイッチを、前方右上から見た斜視図であり、(ｂ)は、第１始動入賞球検知スイッチを、後方左上から見た斜視図である。
【図１３】(ａ)は、第２始動入賞球検知スイッチを、前方右上から見た斜視図であり、(ｂ)は、第２始動入賞球検知スイッチを、後方左上から見た斜視図である。
【図１４】実施例のパチンコ機のブロック図である。
【図１５】メイン制御基板で実行される始動入力処理を示すフローチャートである。
【図１６】メイン制御基板で実行される異常判定実行処理を示すフローチャートである。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行なうパチンコ機１０を例に挙げて説明する。また、以下の説明において、「前」、「後」、「左」、「右」とは、図１に示すようにパチンコ機１０を前側(遊技者側)から見た状態で指称する。
【実施例】
【００１６】
(パチンコ機の概略構成について)
実施例に係るパチンコ機１０は、図１に示すように、遊技店に設けられた「島」とも称される設置枠台(図示せず)に固定される固定枠としての外枠１１と、該外枠１１に対して着脱および開閉可能に枢支された本体枠としての中枠１２と、該中枠１２に着脱交換可能に取り付けられて所要の遊技領域３４が画成された遊技盤３０(図２参照)と、中枠１２の前面側に着脱および開閉可能に枢支され、該中枠１２に配設した遊技盤３０を透視保護する透明板１４が配設される前枠１３とを備えている。前枠１３の前側には、透明板１４が配設された窓口１５の下方に、パチンコ球を貯留可能な上球皿１６が配設されると共に、該上球皿１６の下方に、パチンコ球を貯留可能な下球皿１７や、中枠１２に配設された打球発射装置(図示せず)および前枠１３に配設された球送り装置(図示せず)を作動させるハンドルユニット１８が、左右に並んで配設されている。また、パチンコ機１０の後側には、図１４に示すように、当該パチンコ機１０を総合的に制御するメイン制御基板(制御手段)２１０、メイン制御基板２１０からの制御信号に基づき球払出装置２１７を作動制御する球払出制御基板２１２、打球発射装置１９を制御する発射制御基板２１３等が配設されていると共に、遊技盤３０の後側には、メイン制御基板２１０からの制御信号に基づき、後述する可動演出装置９５や照明装置等を作動制御する統括制御基板２１１が配設されている。
【００１７】
このようなパチンコ機１０では、上球皿１６から球送り装置を介して打球発射装置へ供給され、該打球発射装置１９により遊技盤３０の遊技領域３４へ打ち込まれたパチンコ球が、後述する第１始動入賞部(始動入賞手段)４０または第２始動入賞部６０に入賞することにより、メイン制御基板２１０において入賞情報が取得されて大当り抽選が行なわれると共に該大当り抽選結果に基づいた制御信号が統括制御基板２１１に出力され、該統括制御基板２１１の制御のもとで、遊技盤３０に配設された図柄表示装置９０の第１〜第３表示体９１,９２,９３(図２参照)での図柄変動演出が開始される。そしてパチンコ機１０は、図柄変動演出の結果として、第１〜第３表示体９１,９２,９３に図柄が所定の組み合わせで停止することにより遊技者に有利な特別遊技状態(例えば「大当り」)が発生すると、遊技盤３０の遊技領域３４に設けられた第１特別入賞部５０の第１特別入賞口５１または第２特別入賞部７０の第２特別入賞口７１(図２参照)が開放されて多数のパチンコ球の入賞が可能となり、パチンコ球の入賞に基づいて球払出装置２１７が配設された球払出し部から多数のパチンコ球が賞球として上球皿１６へ払出されるよう構成されている。
【００１８】
（中枠）
中枠１２は、全体が外枠１１の開口に整合する矩形枠状に形成され、遊技盤３０を前側から着脱可能に設置し得る遊技盤保持部(図示せず)が設けられている。そして中枠１２は、外枠１１の左上および左下に設けられたヒンジ機構２８,２８を介して該外枠１１に枢支され、中枠１２は外枠１１に対して左側端部を中心として開閉し得るようになっている。
【００１９】
(前枠)
前枠１３は、図１に示すように、中枠１２の外郭形状に略合致する板状に形成されると共に前後方向に開口する窓口１５が開設された枠本体の前側に、該窓口１５を囲むように複数の装飾部材２７が取付けられている。装飾部材２７内には、ＬＥＤチップを実装した照明基板(図示せず)が配設され、該ＬＥＤチップが発光制御されることで装飾部材２７の光透過部分が明輝されるようになっている。
【００２０】
(遊技盤)
遊技盤３０は、図２および図３に示すように、ベニア等を貼り合わせた木製合板や合成樹脂を材質とし、中枠１２に設けられた遊技盤保持部２５の内縁形状に整合する外形形状に形成された略矩形の平板状の部材である。遊技盤３０の前側には、左下部から右上部にかけて円弧状に延在する外レール３１と、この外レール３１の内側に中央下部から左上部にかけて並べて配置された内レール３２と、外レール３１の右上部から内レール３２の下部までの間に右方へ凹む湾曲形状に構成された盤面飾り部材３３等が配設されており、両レール３１,３２および盤面飾り部材３３で囲まれた内側が遊技領域３４として構成されている。遊技領域３４は、後述する枠状装飾部材８０を挟んで左側の第１遊技領域３４Ａと右側の第２遊技領域３４Ｂとに分かれている。これにより、打球発射装置から発射されたパチンコ球は、外レール３１と内レール３２との間を通って遊技領域３４の左側上部に打ち込まれた後、打球発射装置による打込み力を弱く調整した所謂左打ちの場合は、主に遊技領域３４の第１遊技領域３４Ａを流下し、打球発射装置による打込み力を強く調整した所謂右打ちの場合は、主に遊技領域３４の第２遊技領域３４Ｂを流下するようになっている。
【００２１】
遊技盤３０における左側の第１遊技領域３４Ａには、該第１遊技領域３４Ａの上下略中央に第１始動入賞部(始動入賞手段)４０が配設され、該第１遊技領域３４Ａの下部に第１特別入賞部５０が配設されると共に、第１始動入賞部４０と第１特別入賞部５０との間に、２つの第１普通入賞口５８が上下に離間して配設されている。また、右側の第２遊技領域３４Ｂには、該第２遊技領域３４Ｂの上下中央の下方に第２始動入賞部６０が配設され、該第２始動入賞部６０の左下方に第２特別入賞部７０が配設されると共に、第２始動入賞部６０の上方(第２遊技領域３４Ｂの上下略中央)に２つの第２普通入賞部７８が配設されている(なお、下側の第２普通入賞部７８は、第２始動入賞部６０の第２取付ベース部材６２に設けられている)。また、第２普通入賞部７８の上方に、通過するパチンコ球を検知可能なゲート７９が配設されている。なお、遊技領域３４には、パチンコ球の流下方向を変更する多数の遊技釘３６が配設されている。
【００２２】
(枠状装飾部材)
遊技盤３０には、前後に開口する貫通口が形成されており、前後に開口する枠状に構成された枠状装飾部材８０が、該貫通口の開口端縁を覆った状態で配設されている。この枠状装飾部材８０は、複数の部材から構成され、略円形でかつ中央下部が下方へ突出した形状をなしており、遊技盤３０の前面に当接してネジ止めされる取付板部８１と、該取付板部８１から前方へ突出して所要の意匠が施された装飾枠部８２とを備えている。枠状装飾部材８０は、遊技領域３４における左右中央において上下開口幅が最大となっており、装飾枠部８２の上縁部と外レール３１との上下方向の間隔はパチンコ球２〜３個分であり、該装飾枠部８２の下縁部はアウト口３５の直上に位置している。また、枠状装飾部材８０は、遊技領域３４の上下方向の略中央において左右開口幅が最大となっており、装飾枠部８２の左側部と内レール３２のと左右方向の間隔および該装飾枠部８２の右側部と盤面飾り部材３３との左右方向の間隔は、夫々パチンコ球４〜５個分となっている。そして、装飾枠部８２の内側が演出領域８３とされ、該装飾枠部８２により、該演出領域８３と外側の前記遊技領域３４とが区画され、遊技領域３４を流下するパチンコ球が演出領域８３内へ侵入しないよう構成されている。
【００２３】
前記演出領域８３は、略円形に開口した第１演出領域８３Ａと、該第１演出領域８３Ａの下側に位置して、該第１演出領域８３Ａより左右幅が狭い第２演出領域８３Ｂとに分かれている。第１演出領域８３Ａには、遊技盤３０の後側に取付けられた設置部材１００(後述)に配設した図柄表示装置９０や装飾部材が臨むようになっている。第２演出領域８３Ｂは、後側に装飾板部８４を備え、該装飾板部８４の前側に可動演出装置９５が配設されている。なお、装飾枠部８２の下部には、第１始動入賞部４０に入賞したパチンコ球(入賞球)に関する第１始動保留情報の記憶数を表示する第１保留表示部８６と、第２始動入賞部６０に入賞したパチンコ球(入賞球)に関する第２始動保留情報の記憶数を表示する第２保留表示部８７とが配設されている。
【００２４】
(図柄表示装置)
実施例の図柄表示装置９０は、図２に示すように、左右３列の図柄列から構成され、中図柄列の図柄を表示する第１表示体９１と、左図柄列の図柄を表示する第２表示体９２と、右図柄列の図柄を表示する第３表示体９３とから構成されている。第１〜第３表示体９１,９２,９３は、所謂７セグメントからなる発光部９１Ａ,９２Ａ,９３Ａを夫々備え、数字の「０」〜「９」や欧文字等を表示し得るよう構成されている。なお、図柄表示装置９０の第１〜第３表示体９１,９２,９３は、後述する設置部材１００の設置壁部１１１に設けられた第１設置部１０４に取付けられている。
【００２５】
(第１始動入賞部)
第１始動入賞部４０は、図２、図３および図５に示すように、遊技領域３４の第１遊技領域３４Ａに配設された第１入賞部材４１と、該第１入賞部材４１の前側に取付けられた装飾部材４２とを備えている。第１入賞部材４１は、上方に開口した球入口および該球入口に連通して後方へ開口した球出口を備えた第１始動入賞口４３と、該第１始動入賞口４３に一体に形成された取付ベース部４４とを備え、遊技盤３０に前後に貫通するよう形成した第１貫通孔３７(図５参照)に第１始動入賞口４３の球出口を整合させた状態で、取付ベース部４４を遊技盤３０にネジ止めして該遊技盤３０に取付けられる。すなわち、第１始動入賞部４０は、第１始動入賞口４３が第１遊技領域３４Ａ内で常に上方へ開口する常時開放タイプの入賞口であり、該第１遊技領域３４Ａを流下するパチンコ球が常時一定の確率で入賞可能に構成されている。
【００２６】
そして、第１始動入賞部４０は、第１始動入賞口４３へ入ったパチンコ球を入賞球として第１貫通孔３７を介して遊技盤３０の後側へ通出するよう構成されている。ここで、図５に示すように、第１始動入賞口４３の球出口は、設置部材１００に配設された後述の第１球排出ユニット(球排出部材)１１０に設けられた第１球排出路(球排出路)１１１の第１球通入口１２５と前後に整合しており、該第１始動入賞口４３に入ったパチンコ球は、第１球通入口１２５を介して第１球排出路１１１へ案内されるようになっている。第１球排出ユニット１１０の第１球排出路１１１には、図３〜図６、図８〜図１１に示すように、第１始動入賞球検知センサ(第１入賞球検知手段)４５および第２始動入賞球検知センサ(第２入賞球検知手段)４７が配設されており、第１始動入賞部４０の第１始動入賞口４３に入って第１球排出路１１１へ案内されたパチンコ球は、第１始動入賞球検知センサ４５および第２始動入賞球検知センサ４７で入賞球として検知されるようになっている。なお、第１球排出ユニット１１０の構成、第１始動入賞球検知センサ４５および第２始動入賞球検知センサ４７の配設態様については、後で詳細に説明する。
【００２７】
(第１始動入賞球検知センサ)
第１始動入賞球検知センサ４５は、図柄表示装置９０の第１〜第３表示体９１,９２,９３における図柄変動演出の契機となる検知信号(第１検知信号)を、メイン制御基板(図１４参照)２１０に送信するようになっている。そして、第１始動入賞球検知センサ４５からの第１検知信号を受信したメイン制御基板２１０は、前述したように、球払出装置２１７が所定数の賞球を払い出させるように球払出制御基板２１２(図１４参照)に制御信号を送信すると共に、入賞情報(各種乱数情報)を取得して、該入賞情報に基づいて大当り抽選(大当り判定)を行なうよう構成されている。ここで、実施例では、第１始動入賞球検知センサ４５として、図１２(ａ)および図１２(ｂ)に示すように、導線が巻回された検知コイルを備え、パチンコ球の通過によって生じる磁場の変化を検知して検知信号をメイン制御基板２１０へ出力する誘導型の近接スイッチ４６を採用している。
【００２８】
第１始動入賞球検知センサ４５は、図１２(ａ)および図１２(ｂ)に示すように、第１センサ取付部(第１取付部)１４０に配設された状態を基準として、左右方向より前後方向に長くかつ左右方向より上下方向が短く、内部に空間が画成された略直方体のケース体１９０を備え、該ケース体１９０の上板および下板における前方に偏った位置に、パチンコ球の通過が可能な円形の球通過孔１９１が形成されている。そして、ケース体１９０の内部前側に、近接スイッチ４６が球通過孔１９１に整合した状態で配設され、球通過孔１９１を介してパチンコ球が近接スイッチ４６を通過するよう構成されている。また、ケース体１９１における前端部１９０Ａと左の側端部１９０Ｂとの角部には、後方に向かうにつれて左の側端部１９０Ｂ側へ変位する斜状の切欠き部１９２が形成されている。更に、ケース体１９０の後端部１９０Ｃには、メイン制御基板２１０側からの配線が接続されるコネクタ端子１９３が設けられている。
【００２９】
(第２始動入賞球検知センサ)
第２始動入賞球検知センサ４７は、第１始動入賞球検知センサ４５で検知された後のパチンコ球を検知すると、メイン制御基板２１０に対して検知信号(第２検知信号)を送信するようになっている。第２検知信号は、第１始動入賞球検知センサ４５で検知後のパチンコ球を検知して送信される検知信号であるから、図柄表示装置９０の第１〜第３表示体９１,９２,９３における図柄変動演出の契機とならない。従って、メイン制御基板２１０は、第２検知信号を受信しても、球払出制御基板２１２に制御信号を送信しないと共に大当り抽選は行なわないよう構成されている。ここで、実施例では、第２始動入賞球検知センサ４７として、図１３(ａ)および図１３(ｂ)に示すように、通過するパチンコ球に押される毎に検知して検知信号を出力するプッシュスイッチ４８を備えた機械式スイッチを採用している。
【００３０】
第２始動入賞球検知センサ４７は、図１３(ａ)および図１３(ｂ)に示すように、第２センサ取付部(第２取付部)１４５に配設された状態を基準として、左右方向より前後方向に長くかつ左右方向より上下方向が短く、内部に空間が画成された略直方体のケース体１９５を備え、上板および下板における前方に偏った位置に、パチンコ球の通過が可能な矩形の球通過孔１９６が形成されている。ケース体１９５の内部には、球通過孔１９６の後壁部から該球通過孔１９６へ突出するプッシュスイッチ４８が、進退変位可能に配設されている。また、ケース体１９５の前端部１９５Ａには、後方へ凹んだ凹部１９７が形成されている。更に、ケース体１９５の後端部１９５Ｂには、メイン制御基板２１０側からの配線が接続されるコネクタ端子１９８が設けられている。
【００３１】
すなわち、第１始動入賞球検知センサ４５および第２始動入賞球検知センサ４７は、単に近接スイッチおよび機械式スイッチという差異だけでなく、各々のケース体１９０,１９５の外形形状も異なっている。これにより、後述するように、第１球排出ユニット１１０において、第１始動入賞球検知センサ４５が配設される第１センサ取付部１４０に対する第２始動入賞球検知センサ４７の取付けが不可能となっていると共に、第２始動入賞球検知センサ４７が配設される第２センサ取付部１４５に対する第１始動入賞球検知センサ４５の取付けが不可能に構成され、第１始動入賞球検知センサ４５および第２始動入賞球検知センサ４７の取付作業ミスが防止されるようになっている。
【００３２】
そして、実施例では、第１始動入賞部４０に対して２つの始動入賞球検知センサ４５,４７を備えたことで、後述するように、当該第１始動入賞部４０に対して実行しようとする不正行為や、各始動入賞球検知センサ４５,４７の故障を判定する異常判定実行処理を実行し得るように構成されている。また、実施例では、機械式スイッチである第２始動入賞球検知センサ４７が、第１始動入賞球検知センサ４５および第２始動入賞球検知センサ４７の近くで電波発信機器から発信された電波を検知することができないので、所定の設定時間内に第１および第２始動入賞球検知センサ４５,４７の両方から検知信号がメイン制御基板２１０に送信されることを正常と判定するよう構成することで、電波発信機器を使用した不正行為による異常の発生をメイン制御基板２１０が判断することが可能となっている。
【００３３】
(第２始動入賞部)
第２始動入賞部６０は、図２および図４に示すように、第２遊技領域３４Ｂを流下するパチンコ球が入賞可能な第２始動入賞口６１が設けられた取付ベース部材６２と、この取付ベース部材６２の後側に設けられ、前記第２始動入賞口６１に連通する入賞空間を画成する本体６３とを備える。そして、遊技盤３０に設けられた第２貫通孔(図示せず)を介して本体６３を遊技盤３０の後側へ突出させ、取付ベース部材６２を遊技盤３０にネジ止めすることで該遊技盤３０に取付けられる。取付ベース部材６２の前面には、第２始動入賞口６１を挟んだ両側に、該第２始動入賞口６１を開閉する羽根形態の一対の開閉体６４,６４が配設されると共に、本体６３の外部に、前記各開閉体６４,６４を開閉動作させる作動手段としての始動電磁ソレノイド６５(図１４参照)が配設されており、該開閉体６４,６４は、該始動電磁ソレノイド６５の作動により第２始動入賞口６１を閉鎖する閉鎖位置および開放する開放位置に変位するよう構成されている。すなわち、実施例の第２始動入賞部６０は、開閉機構の作動により開閉体６４,６４が変位することで、第２始動入賞口６１に対するパチンコ球の入賞確率を可変し得るよう構成されている。そして、第２始動入賞口６１に入ったパチンコ球は、本体６３内を通って遊技盤３０の後側へ通出された後、設置部材１００に配設された後述する第２球排出ユニット１８０(図４参照)へ案内され、該第２球排出ユニット１８０に配設された第３始動入賞球検知センサ６６で検知された後に排出されるようになっている。なお、取付ベース部材６２における第２始動入賞口６１の上方に、第２普通入賞部７８が設けられている。
【００３４】
(第３始動入賞球検知センサ)
第３始動入賞球検知センサ６６は、図柄表示装置９０の第１〜第３表示体９１,９２,９３における図柄変動演出の契機となる検知信号(第３検知信号)を、メイン制御基板２１０に送信するようになっている。実施例では、第３始動入賞球検知センサ６６として、第１始動入賞球検知センサ４５と同じタイプ、すなわちパチンコ球の通過によって生じる磁場の変化を検知して検知信号をメイン制御基板２１０へ出力する誘導型の近接スイッチを採用している。第３始動入賞球検知センサ６６からの第３検知信号を受信したメイン制御基板２１０は、前述したように、球払出装置２１７が所定数の賞球を払い出させるように球払出制御基板２１２に制御信号を送信すると共に、入賞情報(各種乱数情報)を取得して、該入賞情報に基づいて大当り抽選(大当り判定)を行なうようになる。
【００３５】
(第１特別入賞部について)
第１遊技領域３４Ａの下部に配設された第１特別入賞部５０は、図２および図４に示すように、第１遊技領域３４Ａに横長に開口する第１特別入賞口５１が前側に設けられた本体と、該第１特別入賞口５１を開閉自在に閉成する板状の第１開閉部材５２を備えており、駆動手段としての第１特別入賞ソレノイド５３(図４、図１４参照)の駆動に伴って第１開閉部材５２が閉鎖する閉鎖位置と開放する開放位置に変位するよう構成されている。第１特別入賞部５０には、第１特別入賞口５１に入賞したパチンコ球を検知する第１特別入賞球検知センサ５４(図１４参照)が設けられている。第１特別入賞球検知センサ５４は、メイン制御基板２１０に配線接続されており、該第１特別入賞球検知センサ５４からメイン制御基板２１０への検知信号(第１特別検知信号)の入力に伴い、球払出装置２１７の駆動により所定数の賞球が払い出されるようになっている。なお、第１特別入賞部５０は、第１始動入賞部４０へのパチンコ球の入賞および第２始動入賞部６０へのパチンコ球の入賞に基づき、メイン制御基板２１０が行なう大当り抽選の結果として所定の大当り(例えば、非確変大当り等)が付与された場合に、第１開閉部材５２を所定の回数で開放するよう制御される。
【００３６】
(第２特別入賞部について)
第２遊技領域３４Ｂの下部に配設された第２特別入賞部７０は、図２および図４に示すように、前記第１特別入賞部５０と基本的に同じ構成であり、第２遊技領域３４Ｂに横長に開口する第２特別入賞口７１が前側に設けられた本体と、該第２特別入賞口７１を開閉自在に閉成する板状の第２開閉部材７２を備えており、駆動手段としての第２特別入賞ソレノイド７３(図４、図１４参照)の駆動に伴って第２開閉部材７２が閉鎖する閉鎖位置と開放する開放位置に変位するよう構成されている。第２特別入賞部７０には、第２特別入賞口７１に入賞したパチンコ球を検知する第２特別入賞球検知センサ７４(図１４参照)が設けられている。第２特別入賞球検知センサ７４は、メイン制御基板２１０に配線接続されており、該第２特別入賞球検知センサ７４からメイン制御基板２１０への入賞検知信号の入力に伴い、球払出装置２１７の駆動により所定数の賞球が払い出されるようになっている。なお、第２特別入賞部７０は、第１始動入賞部４０へのパチンコ球の入賞および第２始動入賞部６０へのパチンコ球の入賞に基づき、メイン制御基板２１０が行なう大当り抽選の結果として所定の大当り(例えば、確変大当り等)が付与された場合に、第２開閉部材７２を所定の回数で開放するよう制御される。
【００３７】
(設置部材)
遊技盤３０の後側に取付けられる設置部材１００は、図３および図４に示すように、前方に開放する略矩形のケース状に形成された部材であって、前側の開放端を遊技盤３０の後面に突き合わせた状態で該遊技盤３０に取り付けられる。設置部材１００は、遊技盤３０の後面に対して所要の間隔で略平行に対向する設置壁部１０１と、この設置壁部１０１の周縁から前方へ延出形成された外周壁部１０２と、この外周壁部１０２の前端から外方に向けて屈曲した形状に形成された取付板部１０３等を備えている。すなわち設置部材１００は、外周壁部１０２で囲われて遊技盤３０側に開放する前部開口が略矩形状に形成されると共に、取付板部８１の外周縁が、遊技盤３０の外周縁より一回り小さい形状および大きさで形成されている。そして設置部材１００は、取付板部８１を遊技盤３０の後面にネジ止めすることで該遊技盤３０に取付けられ、遊技盤３０の後面と該後面から離間した設置壁部１０１の前側との間に空間を画成する。
【００３８】
前記設置部材１００の設置壁部１０１の前面には、図４に示すように、図柄表示装置９０を設置するための第１設置部１０４が略中央に設けられ、第１球排出ユニット１１０を設置するための第２設置部１０５が第１設置部１０４の左側に設けられると共に、第２球排出ユニット１８０を設置するための第３設置部１０６が第１設置部１０４の右側に設けられている。第２設置部１０５には、第１球排出ユニット１１０を固定して支持する複数のボス１０５Ａ(図４〜図７参照)が、設置壁部１０１の前面から前方へ延出した状態に形成されている。また、第３設置部１０６には、第２球排出ユニット１８０を固定して支持する複数のボス(図示せず)が、設置壁部１０１の前面から前方へ延出した状態に形成されている。
【００３９】
設置壁部１０１の後面には、図柄表示装置９０における第１〜第３表示体９１,９２,９３の各発光部９１Ａ,９２Ａ,９３Ａの発光制御を行なう表示制御基板２１４(図１４参照)と、当該パチンコ機１０の遊技演出を統括的に制御する統括制御基板２１１(図１４参照)が配設されている。統括制御基板２１１には、表示制御基板２１４、前枠１３に配設された各ランプ装置２１８やスピーカ２１９、設置壁部１０１の前側に配設された照明装置や可動演出装置等が電気的に接続されており、当該統括制御基板２１１から出力される制御信号に基づいて各装置が作動制御される。
【００４０】
(第１球排出ユニット)
前記第１球排出ユニット１１０は、図４に示すように、遊技盤３０前面の第１遊技領域３４Ａに配設された第１始動入賞部４０に入ったパチンコ球、第１普通入賞口５８,５８に入ったパチンコ球、第１特別入賞部５０に入ったパチンコ球の夫々を、中枠１２の後面における遊技盤保持部２５の下方に配設された球処理部(図示せず)へ排出する複数の球排出路が形成されたユニット部材である。すなわち、第１球排出ユニット１１０は、第１始動入賞部４０から通出されたパチンコ球を球処理部へ排出する第１球排出路１１１と、各第１普通入賞口５８,５８から通出されたパチンコ球を球処理部へ排出する第２球排出路１１２と、第１特別入賞部５０から通出されたパチンコ球を球処理部へ排出する第３球排出路１１３とが設けられている。また、第１球排出ユニット１１０には、前記第１始動入賞球検知センサ４５を配設するための第１センサ取付部１４０および第２始動入賞球検知センサ４７を配設するための第２センサ取付部１４５が設けられると共に、第１普通入賞口５８に入賞したパチンコ球を検知する第１普通入賞球検知センサ５９を配設するための第４センサ取付部１６５が設けられている。更に、第１球排出ユニット１１０には、遊技盤３０の前面おいて第１始動入賞部４０の近傍や第１普通入賞口５８の近傍で生じた磁気を検知可能な磁気検知センサ(磁気検知手段)１５５を配設するための２つの第３センサ取付部(第３取付部)１５０,１５０が設けられている。
【００４１】
前記第１球排出ユニット１１０は、図８〜図１１に示すように、別体に形成された第１本体部材１１５および第２本体部材１１６を前後に組付けることで、両本体部材１１５,１１６により第１〜第３球排出路１１１,１１２,１１３を形成する。第１本体部材１１５は、正面視において略Ｌ字形をなす合成樹脂製の成形部材であり、平坦状に形成された前板部１１７と、該前板部１１７から後方へ膨出して、第１球排出路１１１の側壁部１１１Ａおよび後壁部１１１Ｂを構成する第１半樋部１１８と、該前板部１１７から後方へ膨出して、第２球排出路１１２の側壁部１１２Ａおよび後壁部１１２Ｂを構成する第２半樋部１１９と、該前板部１１７から後方へ膨出して、第３球排出路１１３の側壁部１１３Ａおよび後壁部１１３Ｂを構成する第３半樋部１２０とを備えている。前板部１１７には、複数(実施例では４つ)のネジ締結孔１２１が形成されており、第２本体部材１１６を第１本体部材１１５に組付けるネジ(図示せず)が螺挿されるようになっている。ここで、前板部１１７の各ネジ締結孔１２１が形成された部分の後面には、後方へ延出した円筒部１２１Ａが形成されており(図８(ｂ)、図１０参照)、該ネジ締結孔１２１は前板部１１７から円筒部１２１Ａに亘って形成されている。また、前板部１１７には、複数(実施例では４つ)のネジ挿通孔１２２が形成されており(図８(ａ)、図１０、図１１参照)、第１本体部材１１５を前記ボス１０５Ａに組付けるネジ(図示)が挿通可能に構成されている。更に、前板部１１７には、複数(実施例では３個)の位置決めボス１２３が前方へ突出した状態に形成されると共に、第２本体部材１１６には各位置決めボス１２３に対応して位置決め孔１２８が形成されており、各位置決めボス１２３を対応の位置決め孔１２８に嵌合させることで、第１本体部材１１５と第２本体部材１１６との位置決めを図り得るよう構成されている(図８(ａ)参照)。
【００４２】
第２本体部材１１６は、図８(ａ)、図９および図１０に示すように、第１本体部材１１５の前板部１１７の外縁形状と略同じ外縁形状に形成され、正面視において略Ｌ字形をなす合成樹脂製の成形部材である。第２本体部材１１６には、第１本体部材１１５に設けられた前記各ネジ締結孔１２１に整合するネジ挿通孔１２４が形成されており、該ネジ挿通孔１２４に挿通したネジを対応するネジ締結孔１２１へ締結することで、当該第２本体部材１１６が第１本体部材１１５の前側に組付けられるよう構成されている。そして、第１本体部材１１５に組付けられた第２本体部材１１６は、該第１本体部材１１５に形成された第１〜第３半樋部１１８,１１９,１２０の前側開口部を閉塞し、該第１本体部材１１５とで樋状の第１〜第３球排出路１１３の各前壁部を構成する。また、第２本体部材１１６には、第１球排出路１１１の上部に位置して、遊技盤３０に配設された第１始動入賞部４０における第１始動入賞口４３の球出口に整合する第１球通入口１２５と、第２球排出路１１２の上部に位置して、上側の第１普通入賞口５８の球出口に整合する第２球通入口１２６と、第２球排出路１１２の上部に位置して、下側の第１普通入賞口５８の球出口に整合する第３球通入口１２７とが形成されている。なお、第２本体部材１１６の前面における第１球通入口１２５の下側には、第１始動入賞部４０の装飾部材４２を後側から照射するＬＥＤ１３０Ａが実装された発光基板１３０およびレンズ部材１３５が、ネジにより組付けられている。
【００４３】
(第１球排出路)
図８〜図１１に示すように、第１本体部材１１５に形成された第１半樋部１１８は、前板部１１７から後方へ略延出した側壁部と、両側壁部の後端に連設されて前板部１１７と平行な左右方向へ延在する後壁部により、球通過方向と直交する向きでの断面形状が略「コ」字形となっている。そして、第１本体部材１１５の第１半樋部１１８と第２本体部材１１６とにより画成された第１球排出路１１１は、球通過方向と直交する方向での断面形状が「口」字状をなす角樋状に形成され、第１球排出ユニット１１０上縁下部から下縁まで全体として右下がりの階段状に延在している。すなわち、第１球排出路１１１は、垂直下方へ延在する縦通路部１３１と、水平に対して僅かに右下がりに延在する横通路部１３２とが、交互に連なる階段状をなしている。ここで、縦通路部１３１と横通路部１３２とは、所要角度(実施例では、９５〜１００°程度)で屈曲している。そして、第１球排出路１１１の上部は、前記第１球通入口１２５の後側に整合して前方に向けて開口しており、該第１球排出路１１１の下部は、下方に向け開口した第１球通出口１３３が設けられている。
【００４４】
そして、第１球排出路１１１は、縦通路部１３１における左右の側壁部１１１Ａ,１１１Ａの内面に、球通過領域側へ突出した突部１３４が上下方向へ所要ピッチで突出形成され、該第１球排出路１１１内を下方へ移動するパチンコ球と該突部１３４とが接触することで、該パチンコ球の勢いを減少させるようになっている。なお、左の側壁部１１１Ａの内面に形成された各突部１３４と右の側壁部１１１Ａの内面に形成された各突部１３４とは、約１／２ピッチ分だけ上下にずれて形成されており、縦通路部１３１を下方へ移動するパチンコ球が左右の突部１３４,１３４に交互に接触するようにすることで、該パチンコ球の落下速度が抑えられるようになっている。
【００４５】
(第１センサ取付部)
図８〜図１１に示すように、第１始動入賞球検知センサ４５を配設するための前記第１センサ取付部１４０は、第１球排出路１１１における最も上方に位置する縦通路部１３１(１３１Ａ)の中途部分に設けられている。第１センサ取付部１４０は、第１本体部材１１５に設けられた第１後保持部１４１と、第２本体部材１１６に設けられた第１前保持部１４２とから構成されている。第１後保持部１４１は、第１半樋部１１８から後方へ突出すると共に、第１始動入賞球検知センサ４５のケース体１９０における左右寸法および高さ寸法に合わせて前後に開口した角筒状に形成されている。これにより第１始動入賞球検知センサ４５は、近接スイッチ４６の球通過孔を上下方向に開口させた姿勢で、第１本体部材１１５の後側から第１後保持部１４１に挿入される。一方、第１前保持部１４２は、第１球排出路１１１を挟んだ第１後保持部１４１の前側に、第１始動入賞球検知センサ４５のケース体１９０における左右寸法および高さ寸法に合わせて第２本体部材１１６の後面から前方へ凹んだ状態に形成されている。すなわち、第１前保持部１４２は、第１後保持部１４１に対して後方から挿入した第１始動入賞球検知センサ４５のケース体１９０の前部を支持する。そして、図１０に示すように、第１前保持部１４２の左端部には、後方にいくにつれて左方へ傾斜した斜状部１４３が設けられており、該斜状部１４３がケース体１９０の前部左側に形成された前記切欠き部１９２と前後方向で整合するようになっている。
【００４６】
更に、図８(ｂ)および図１０に示すように、第１後保持部１４１の後端左側には、後方へ延出した後端部に係止爪部１４４Ａが設けられた第１係止部１４４が、後端が左右方向へ変位するよう弾性変形が可能に設けられている。第１係止部１４４は、第１センサ取付部１４０に対して第１始動入賞球検知センサ４５が適切に挿入して取付けられた場合に、該第１始動入賞球検知センサ４５のケース体１９０の後端部１９０Ｃに係止爪部１４４Ａが係止するようになり、該第１始動入賞球検知センサ４５が後方へ脱抜するのを防止するようになっている。そして、第１センサ取付部１４０に第１始動入賞球検知センサ４５が適切に取付けられた状態では、近接スイッチ４６が第１球排出路１１１の球通過方向と同じ方向に開口し、該第１球排出路１１１を通過するパチンコ球のスムーズな通過を許容する。なお、第１始動入賞球検知センサ４５は、第１係止部１４４を弾性変形させて係止爪部１４４Ａとケース体１９０との係止を解除させることで、第１センサ取付部１４０から取外すことが可能となっている。
【００４７】
(第２センサ取付部)
図８〜図１１に示すように、第２始動入賞球検知センサ４７を配設するための前記第２センサ取付部１４５は、第１球排出路１１１における上から２番目に位置する縦通路部１３１(１３１Ｂ)の中途部分に設けられている。第２センサ取付部１４５は、第１本体部材１１５に設けられた第２後保持部１４６と、第２本体部材１１６に設けられた第２前保持部１４７とから構成されている。第２後保持部１４６は、第１半樋部１１８から後方へ突出すると共に、第２始動入賞球検知センサ４７のケース体１９５における左右寸法および高さ寸法に合わせて前後に開口した角筒状に形成されている。これにより第２始動入賞球検知センサ４７は、球通過孔１９６を上下方向に開口させた姿勢で、第１本体部材１１５の後側から第２後保持部１４６に挿入される。一方、第２前保持部１４７は、第１球排出路１１１を挟んだ第２後保持部１４６の前側に、第２始動入賞球検知センサ４７のケース体１９５における左右寸法および高さ寸法に合わせて第２本体部材１１６の後面から前方へ凹んだ状態に形成されている。すなわち、第２前保持部１４７は、第２後保持部１４６に対して後方から挿入した第２始動入賞球検知センサ４７のケース体１９５の前部を支持する。そして、図１０に示すように、第２前保持部１４７の左右中央には、後方へ突出した突状部１４８が設けられており、該突状部１４８がケース体１９５の前端部１９５Ａに形成された前記凹部１９７と整合するようになっている。
【００４８】
更に、図８(ｂ)および図１０に示すように、第２後保持部１４６の後端右側には、後方へ延出した後端部に係止爪部１４９Ａが設けられた第２係止部１４９が、後端が左右方向へ変位するよう弾性変形が可能に設けられている。第２係止部１４９は、第２センサ取付部１４５に対して第２始動入賞球検知センサ４７が適切に挿入して取付けられた場合に、該第２始動入賞球検知センサ４７のケース体１９５の後端部１９５Ｂに係止爪部１４９Ａが係止して、該第２始動入賞球検知センサ４７が後方へ脱抜するのを防止するようになっている。そして、第２センサ取付部１４５に適切に第２始動入賞球検知センサ４７が配設された状態では、球通過孔１９６が第１球排出路１１１の球通過方向と同じ方向に開口し、該第１球排出路１１１を通過するパチンコ球のスムーズな通過を許容する。なお、第２始動入賞球検知センサ４７は、第２係止部１４９を弾性変形させて係止爪部１４９Ａとケース体１９５との係止を解除させることで、第２センサ取付部１４５から取外すことが可能となっている。
【００４９】
従って、第１センサ取付部１４０には、第１前保持部１４２に形成された前記斜状部１４３と整合する切欠き部１９２がケース体１９０に設けられた第１始動入賞球検知センサ４５を挿入した場合に第１係止部１４４が該ケース体１９０に係止され、該斜状部１４３に整合する切欠き部が設けられていないケース体１９５を備えた第２始動入賞球検知センサ４７を第１センサ取付部１４０に挿入した場合には、斜状部１４３とケース体１９５の前端部の左部分とが干渉することで、第１係止部１４４が第２始動入賞球検知センサ４７の該ケース体１９５に係止されなくなり、第１センサ取付部１４０に第２始動入賞球検知センサ４７を取付ける作業ミスが回避される。一方、第２センサ取付部１４５には、第２前保持部１４７に形成された前記突状部１４８と整合する凹部１９７がケース体１９５に設けられた第２始動入賞球検知センサ４７を挿入した場合に第２係止部１４９が該ケース体１９５に係止され、該突状部１４８に整合する凹部が設けられていないケース体１９０を備えた第１始動入賞球検知センサ４５を第２センサ取付部１４５に挿入した場合には、突状部１４８とケース体１９０の前端部１９０Ａとが干渉することで、第２係止部１４９が第１始動入賞球検知センサ４５の該ケース体１９０に係止されなくなり、第２センサ取付部１４５に第１始動入賞球検知センサ４５を取付ける作業ミスが回避される。
【００５０】
第１球排出路１１１は、最も上方の縦通路部１３１(１３１Ａ)および上から２番目の縦通路部１３１(１３１Ｂ)の間に横通路部１３２が位置して屈曲していることで、第１始動入賞球検知センサ４５は該第１球排出路１１１の屈曲部を挟んだ上方に配設されると共に、第２始動入賞球検知センサ４７は、該屈曲部を挟んだ下方に配設されている。そして、図１１に示すように、第１始動入賞球検知センサ４５と第２始動入賞球検知センサ４７との配設間隔は、第１球排出路１１１の球通過経路において、パチンコ球の１個分以上(パチンコ球の直径以上)の間隔に離間しており、第１始動入賞球検知センサ４５におけるパチンコ球の検知タイミングから第２始動入賞球検知センサ４７による当該パチンコ球の検知タイミングまでに所要の時間がかかるように構成されている。しかも、第１始動入賞球検知センサ４５と第２始動入賞球検知センサ４７との間に２つの屈曲部があるので、第１始動入賞球検知センサ４５を通過したパチンコ球が第２始動入賞球検知センサ４７へ移動する際に適宜減速、減勢され、第１始動入賞球検知センサ４５の検知タイミングから第２始動入賞球検知センサ４７の検知タイミングまでの時間差を適切に確保することが可能となっている。
【００５１】
(磁気検知センサ)
実施例では、図８〜図１１に示すように、第１球排出ユニット１１０に対して、磁気検知手段である磁気検知センサ１５５が複数(実施例では２つ)配設されている。各磁気検知センサ１５５は、細長の角棒状に形成された磁気検知部１５６と、磁気検知部１５６の後端部に設けられ、該磁気検知部１５６と上下にずらして設けられた保持部１５７と、該保持部１５７の後部に配設され、メイン制御基板２１０側からの配線が接続されるコネクタ端子１５８とを備えている。そして、磁気検知部１５６と保持部１５７との境界部上部に第１段差部１５７Ａが形成され、該境界部下部に第２段差部１５７Ｂが形成されている。このような磁気検知センサ１５５は、磁気を検知すると、検知信号をメイン制御基板２１０へ送信するよう構成されている。
【００５２】
(第３センサ取付部)
図８〜図１１に示すように、磁気検知センサ１５５を配設するための前記第３センサ取付部１５０は、第１球排出路１１１の上端部右隣り(第１センサ取付部１４０の右上方)および第２球排出部１１２の上端近傍において、前板部１１７に夫々設けられている。各第３センサ取付部１５０,１５０は同一に構成されているので、同一部分は同一符号を付して説明する。第３センサ取付部１５０は、第１本体部材１１５に設けられた第３後保持部１５１と、第２本体部材１１６に設けられた第３前保持部１５２とから構成されている。第３後保持部１５１は、前板部１１７の後面から後方へ突出すると共に、磁気検知センサ１５５の寸法に合わせて前後に開口した角筒状に形成されている。これにより磁気検知センサ１５５は、第１本体部材１１５の後側から第３後保持部１５１に挿入される。一方、第３前保持部１５２は、第３後保持部１５１の前側において、磁気検知センサ１５５の先端部寸法に合わせて第２本体部材１１６の前後に開口した角穴に形成されている。すなわち、第３前保持部１５２は、第３後保持部１５１に対して後方から挿入した磁気検知センサ１５５の前部を、第２本体部材１１６の前側へ露出させた状態で支持するようになっている。なお、第３センサ取付部１５０に挿入した磁気検知センサ１５５は、第３後保持部１５１の後端部に前記第２段差部１５７Ｂが当接するよう構成され、該第２段差部１５７Ｂが第３後保持部１５１の後端部に当接することで前方への脱抜が防止されるようになっている。
【００５３】
更に、図８(ｂ)、図９および図１０に示すように、第３後保持部１５１の後端上側には、後方へ延出した後端部に係止爪部１５３Ａが設けられた第３係止部１５３が、後端が上下方向へ変位するよう弾性変形が可能に設けられている。第３係止部１５３は、第３センサ取付部１５０に対して磁気検知センサ１５５が適切に取付けられた場合に、前記第１段差部１５７Ａに係止爪部１５３Ａが係止して、当該磁気検知センサ１５５が後方へ脱抜するのを防止するようになっている。なお、磁気検知センサ１５５は、第３係止部１５３を弾性変形させて係止爪部１５３Ａと第１段差部１５７Ａとの係止を解除させることで、第３センサ取付部１５０から取外すことが可能となっている。
【００５４】
(第２球排出路)
図４、図８〜図１１に示すように、第１本体部材１１５に形成された第２半樋部１１９は、前板部１１７から後方へ延出した側壁部と、両側壁部の後端に連設されて前板部１１７と平行な左右方向へ延在する後壁部とにより、球通過方向と直交する向きでの断面形状が略「コ」字形となっている。そして、第１本体部材１１５の第１半樋部１１８と第２本体部材１１６とにより画成された第２球排出路１１２は、球通過方向と直交する方向での断面形状が「口」字状をなす角樋状に形成され、前記第１球排出路１１１の左側において、第１球排出ユニット１１０上縁下部から下縁まで全体として右下がりの階段状に延在している。すなわち、第２球排出路１１２は、下方へ延出する縦通路部１６１と、水平に対して僅かに右下がりに延在する横通路部１６２とが、交互に連なる階段状をなしている。ここで、縦通路部１６１と横通路部１６２とは、所要角度(実施例では、９５〜１００°程度)で屈曲している。そして、第２球排出路１１２の上部は、上方の第１普通入賞口５８の後側に整合して前方に向けて開口した縦通路部１６１(１６１Ａ)と、下方の第１普通入賞口５８の後側に整合して前方に向けて開口した縦通路部１６１(１６１Ｂ)とが平行に延在して、上方の第１普通入賞口５８の後側に整合した縦通路部１６１Ａが、下方の第１普通入賞口５８の後側に整合した縦通路部１６１Ｂの中途部分で合流している。また第２球排出路１１２の下部は、下方に向け開口した第２球通出口１６３が設けられている。
【００５５】
そして、第２球排出路１１２は、縦通路部１６１における左右の側壁部１１２Ａ,１１２Ａの内面に、球通過領域側へ突出した突部１６４が上下方向へ所要ピッチで突出形成され、該第２球排出路１１２内を下方へ移動するパチンコ球と該突部１６４とが接触することで、該パチンコ球の勢いを減少させるようになっている。なお、左の側壁部１１２Ａの内面に形成された各突部１６４と右の側壁部１１２Ａの内面に形成された各突部１６４とは、約１／２ピッチ分だけ上下にずれて形成されており、縦通路部１６１を下方へ移動するパチンコ球が左右の突部１６４,１６４に交互に接触するようにすることで、該パチンコ球の落下速度が抑えられるようになっている。
【００５６】
(普通入賞球検知センサおよび第４センサ取付部)
図８〜図１１に示すように、第２球排出路１１２において、左の縦通路部１６１Ａと右の縦通路部１６１Ｂの合流部から下方に位置する縦通路部１６１の中途部分に、各第１普通入賞口５８,５８に入ったパチンコ球を検知する第１普通入賞球検知センサ５９を配設するための前記第４センサ取付部１６５が設けられている。第１普通入賞球検知センサ５９は、図１３(ａ)および図１３(ｂ)に示す前記第２始動入賞球検知センサ４７と同じ機械式スイッチである。第４センサ取付部１６５は、前記第２センサ取付部１４５と基本構成が同じであり、第１本体部材１１５に設けられた第４後保持部１６６と、第２本体部材１１６に設けられた第４前保持部１６７とから構成されている。第４後保持部１６６は、第１普通入賞球検知センサ５９のケース体２００に合わせて前後に開口した角筒状に形成され、第４前保持部１６７は、第２球排出路１１２を挟んだ第４後保持部１６６の前側に、第２本体部材１１６の後面から前方へ凹んだ状態に形成されている。また、第４前保持部１６７の左右中央には、後方へ突出した突状部１６８が設けられており、該突状部１６８が第１普通入賞球検知センサ５９のケース体２００の前端部２００Ａに形成された凹部２０１と整合するようになっている。従って、第４センサ取付部１６５に、近接スイッチである第１始動入賞球検知センサ４５を取付けることが防止され得るようになっている。
【００５７】
(第３球排出路)
図８〜図１１に示すように、第１本体部材１１５に形成された第３半樋部１２０は、前板部１１７から後方へ延出した側壁部と、両側壁部の後端に連設されて前板部１１７と平行な左右方向へ延在する後壁部とにより、球通過方向と直交する向きでの断面形状が略「コ」字形となっている。そして、第１本体部材１１５の第３半樋部１２０と第２本体部材１１６とにより画成された第３球排出路１１３は、球通過方向と直交する方向での断面形状が「口」字状をなす角樋状に形成され、前記第１球排出路１１１の右側において、全体として左下がりの階段状に延在している。すなわち、第３球排出路１１３は、下方へ延出する縦通路部１６９,１６９と、両縦通路部１６９,１６９の間に位置して、水平に対して僅かに左下がりに延在する横通路部１７０とから構成されている。そして、第３球排出路１１３の上部は、第１特別入賞部５０の本体下側において上方に向けて開口した第３球通入口１７１が設けられると共に、該第３球排出路１１３の下部は、下方に向け開口した第３球通出口１７２が設けられている。
【００５８】
そして、図４、図９、図１１に示すように、第３球排出路１１３は、縦通路部１３１における左右の側壁部１３１Ａ,１３１Ａの内面に、球通過領域側へ突出した突部１７３が上下方向へ所要ピッチで突出形成され、該第３球排出路１１３内を下方へ移動するパチンコ球と該突部１７３とが接触することで、該パチンコ球の勢いを減少させるようになっている。なお、左の側壁部１１３Ａの内面に形成された各突部１７３と右の側壁部１１３Ａの内面に形成された各突部１７３とは、約１／２ピッチ分だけ上下にずれて形成されており、縦通路部１３１を下方へ移動するパチンコ球は、左右の突部１７３,１７３に交互に接して落下速度が抑えられるようになっている。
【００５９】
(各センサの取外し防止構造について)
前記第１球排出ユニット１１０は、第１本体部材１１５と第２本体部材１１６とを組付けて、設置部材１００の第２設置部１０５への取付け前の作業工程において、第１始動入賞球検知センサ４５、第２始動入賞球検知センサ４７および磁気検知センサ１５５を、当該第１球排出ユニット１１０の後側から、対応の第１センサ取付部１４０、第２センサ取付部１４５および第３センサ取付部１５０に取付けると共に、第１普通入賞球検知センサ５９を、第４センサ取付部１６５に取付ける。そして、第１始動入賞球検知センサ４５、第２始動入賞球検知センサ４７、磁気検知センサ１５５および第１普通入賞球検知センサ５９を取付けた第１球排出路ユニット１１０は、設置部材１００の第２設置部１０５に対し、該第１球排出路ユニット１１０の後側を設置壁部１０１に対向させた(後方に向けた)姿勢で取付けられる。そして、図３および図４に示すように、設置部材１００の設置壁部１０１および外周壁部１０２や、第１設置部１０４に取付けられた図柄表示装置９０の第２表示体９２が、第２設置部１０５に取付けられた第１球排出ユニット１１０の後側を囲繞する囲繞部となり、該第１球排出ユニット１１０の後側が覆われた状態となる。従って、実施例では、第２設置部１０５に取付けられた第１球排出ユニット１１０の後側に指先や棒状または板状の部材を差し込んで、該指先や部材を、第１始動入賞球検知センサ４５、第２始動入賞球検知センサ４７、第１普通入賞球検知センサ５９および磁気検知センサ１５５にアクセスさせることが不可能な構造となっている。すなわち、第２設置部１０５に第１球排出ユニット１１０を取付けた状態では、第１始動入賞球検知センサ４５、第２始動入賞球検知センサ４７、磁気検知センサ１５５および第１普通入賞球検知センサ５９を、第１センサ取付部１４０、第２センサ取付部１４５、第３センサ取付部１５０および第４センサ取付部１６５から取外すことを防止し得るように構成されている。
【００６０】
(第２球排出ユニット)
前記第２球排出ユニット１８０は、図４に示すように、遊技盤３０前面の第２遊技領域３４Ｂに配設された第２始動入賞部６０に入ったパチンコ球、各第２普通入賞部７８,７８に入ったパチンコ球、第２特別入賞部７０に入ったパチンコ球の夫々を、中枠１２の後面における遊技盤保持部２５の下方に配設された球処理部(図示せず)へ排出する複数の球排出路が形成されたユニット部材である。すなわち、第２球排出ユニット１８０は、第２始動入賞部６０から通出されたパチンコ球を球処理部へ排出する第４球排出路１８１と、第２普通入賞部７８,７８から通出されたパチンコ球を球処理部へ排出する第５球排出路１８２と、第２特別入賞部７０から通出されたパチンコ球を球処理部へ排出する第６球排出路１８３とが設けられている。また、第２球排出ユニット１８０の第４球排出路１８１の上部には、第２始動入賞部６０に入賞したパチンコ球(入賞球)を検知する第３始動入賞球検知センサ６６を配設するための第５センサ取付部１８４が設けられると共に、第５球排出路１８２の中途部分には、各第２普通入賞部７８,７８に入賞したパチンコ球(入賞球)を検知する第２普通入賞球検知センサ７７を配設するための第６センサ取付部１８５が設けられている。なお、第２球排出ユニット１８０は、前記第１球排出ユニット１１０と形状は異なるが基本的な機能は同じであり、第５センサ取付部１８４および第６センサ取付部１８５の構成は、前述した第１または第２センサ取付部１４０,１４５と基本的に同じであるから、ここでは詳細な説明は省略する。
【００６１】
(メイン制御について)
次に、第１球排出ユニット１１０の第１球排出路１１１に配設された第１始動入賞部４０および第２始動入賞部６０に関して、メイン制御基板２１０のメイン制御ＣＰＵ２１０Ａが制御プログラムに基づき実行する処理について説明する。
【００６２】
(始動保留情報について)
実施例のパチンコ機１０は、第１始動入賞部４０の第１始動入賞口４３にパチンコ球が入賞した際に取得される情報(各種乱数情報)が、機内部の記憶手段(メイン制御基板２１０のメイン制御ＲＡＭ)に第１始動保留情報として記憶されるようになっている。同様に、第２始動入賞部６０の第２始動入賞口６１にパチンコ球が入賞した際に取得される情報(各種乱数情報)が、メイン制御基板２１０のメイン制御ＲＡＭに第２始動保留情報として記憶されるようになっている。ここで、第１始動保留情報の保留数は、第１始動入賞口４３へパチンコ球が入賞することで１加算されると共に、図柄変動演出が行われる毎に１減算される。同様に、第２始動保留情報の保留数は、第２始動入賞口６１へパチンコ球が入賞することで１加算されると共に、図柄変動演出が行われる毎に１減算される。なお、第１始動保留情報および第２始動保留情報の保留数には所定の上限数(実施例では「４」ずつ)が設定されており、該上限数まで第１および第２始動保留情報の保留数を夫々加算し得るよう設定されている。
【００６３】
(始動入力処理について)
メイン制御ＣＰＵ２１０Ａが実行する始動入力処理では、図１５に示すように、第１始動入賞部４０の第１始動入賞口４３にパチンコ球が入賞したか否かをメイン制御ＣＰＵ２１０Ａが判定する(ステップＡ１１)。すなわち、ステップＡ１１においてメイン制御ＣＰＵ２１０Ａは、第１始動入賞球検知センサ４５がパチンコ球を検知した時に出力する第１検知信号が入力されたか否かを判定する。そしてステップＡ１１の判定結果が否定の場合には、ステップＡ１７に移行する。ステップＡ１１の判定結果が肯定の場合には、メイン制御基板２１０に備えられた後述のカウント部２２０が、入賞カウント数を１加算して該入賞カウント数を更新し(ステップＡ１２)、更に、メイン制御基板２１０に備えられた後述のタイマ部２２１が入賞検知タイマを設定する(ステップＡ１３)。
【００６４】
次に、メイン制御ＣＰＵ２１０Ａは、メイン制御ＲＡＭに記憶されている第１始動保留情報の保留数が上限数の４未満であるか否かを判定する(ステップＡ１４)。ステップＡ１４の判定結果が否定(すなわち第１始動保留情報の保留数が４)の場合には、メイン制御ＣＰＵ２１０Ａは、ステップＡ１７に移行する。
【００６５】
ステップＡ１４の判定結果が肯定(第１始動保留情報の保留数＜４)の場合には、第１始動保留情報の保留数を１加算し、メイン制御ＲＡＭが記憶する第１始動保留情報の保留数を書き換える(ステップＡ１５)。続いて、メイン制御ＲＡＭから入賞時情報(各種乱数の値)をメイン制御ＣＰＵ２１０Ａが読み出して、当該入賞時情報を第１始動保留情報の保留数に対応付けたメイン制御ＲＡＭの所定の記憶領域に設定する(ステップＡ１６)。
【００６６】
また、ステップＡ１７では、第２始動入賞部６０の第２始動入賞口６１にパチンコ球が入賞したか否かをメイン制御ＣＰＵ２１０Ａが判定する。すなわち、ステップＡ１７においてメイン制御ＣＰＵ２１０Ａは、第２始動入賞口６１の第３始動入賞球検知センサ６６がパチンコ球を検知した時に出力する第３検知出信号が入力されたか否かを判定する。そしてステップＡ１７の判定結果が否定の場合には、始動入力処理を終了する。ステップＡ１７の判定結果が肯定の場合には、メイン制御ＣＰＵ２１０Ａは、メイン制御ＲＡＭに記憶されている第２始動保留情報の保留数が上限数の４未満であるか否かを判定する(ステップＡ１８)。ステップＡ１８の判定結果が否定(すなわち第２始動保留情報の保留数が４)の場合には、メイン制御ＣＰＵ２１０Ａは、始動入力処理を終了する。
【００６７】
ステップＡ１８の判定結果が肯定(第２始動保留情報の保留数＜４)の場合には、第２始動保留情報の保留数を１加算し、メイン制御ＲＡＭが記憶する第２始動保留情報の保留数を書き換える(ステップＡ１９)。続いて、メイン制御ＲＡＭから入賞時情報(各種乱数の値)をメイン制御ＣＰＵ２１０Ａが読み出して、当該入賞時情報を第２始動保留情報の保留数に対応付けたメイン制御ＲＡＭの所定の記憶領域に設定する(ステップＡ２０)。これにより、始動入力処理が終了する。
【００６８】
(図柄変動開始処理について)
メイン制御ＣＰＵ２１０Ａは、図柄変動開始処理を所定の周期(実施例では４ｍｓ)毎に実行している。図柄変動開始処理において、メイン制御ＣＰＵ２１０Ａは、図柄変動演出が実行されていない場合に、第２始動保留情報の保留数を読み出し、第２始動保留情報の保留数を１減算して、当該第２始動保留情報の保留数に対応付けられたメイン制御ＲＡＭの所定の記憶領域に最も早く記憶された始動時情報を取得する。そして、メイン制御ＣＰＵ２１０Ａは、始動時情報に基づいて大当り判定(大当り抽選)を行なうと共に、抽選結果に基づいた制御信号を統括制御基板２１１へ送信し、該統括制御基板２１１の統括制御ＣＰＵは、表示制御基板２１４に制御信号を送信して、該表示制御基板２１４が図柄表示装置９０の第１〜第３表示体９１,９２,９３で所定の図柄変動演出を行なわせる。
【００６９】
一方、メイン制御ＣＰＵ２１０Ａは、第１始動保留情報の保留数＞０の場合には、第１始動保留情報の保留数を読み出し、第１始動保留情報の保留数を１減算して、当該第１始動保留情報の保留数に対応付けられたメイン制御ＲＡＭの所定の記憶領域に最も早く記憶された始動時情報を取得する。そして、メイン制御ＣＰＵ２１０Ａは、始動時情報に基づいて大当り判定(大当り抽選)を行なうと共に、抽選結果に基づいた制御信号を統括制御基板２１１へ送信し、該統括制御基板２１１の統括制御ＣＰＵは、表示制御基板２１４に制御信号を送信して、該表示制御基板２１４に図柄表示装置９０の第１〜第３表示体９１,９２,９３で所定の図柄変動演出を行なわせる。
【００７０】
(第１始動入賞口に対する異常判定実行処理について)
実施例のパチンコ機１０は、前述したように、第１始動入賞部４０に入賞したパチンコ球を検知する始動入賞球検知手段として、第１始動入賞球検知センサ４５および第２始動入賞球検知センサ４７の２つの入賞球検知センサを備えた構成として、第１始動入賞球検知センサ４５からメイン制御基板２１０へ送信される第１検知信号と第２始動入賞球検知センサ４７からメイン制御基板２１０へ送信される第２検知信号とを監視することで、該第１始動入賞部４０における異常発生を判定し得るようになっている。
【００７１】
メイン制御基板２１０は、図１４に示すように、第１始動入賞球検知センサ４５から送信される第１検知信号の受信に伴って１加算されると共に第２始動入賞球検知センサ４７から送信される第２検知信号の受信に伴って１減算される入賞カウント数を更新するカウント部２２０を備えている。すなわち、入賞カウント数は、メイン制御基板２１０への第１検知信号の受信数と第２検知信号の受信数の差であり、換言すると第１始動入賞球検知センサ４５が検知して第２始動入賞球検知センサ４７で検知していない数(第２始動入賞球検知センサ４７の未検知数)である。また、メイン制御基板２１０は、第１始動入賞球検知センサ４５から送信される第１検知信号の入力に伴い、予め決められている設定時間を計測する入賞検知タイマを設定するタイマ部２２１を備えている。更に、メイン制御基板２１０は、カウント部２２０により更新された入賞カウント数およびタイマ部２２１が設定した入賞検知タイマをもとに異常判定実行処理を行なう異常判定手段である異常判定部(異常判定手段)２２２を備えている。
【００７２】
メイン制御基板２１０の異常判定部２２２は、カウント部２２０により更新された入賞カウント数が予め設定された基準カウント数以上か否かを判定する第１の異常判定と、入賞カウント数が初期値「０」の状態で第２始動入賞球検知センサ４７からの第２検知信号がメイン制御基板２１０に受信されたか否かを判定する第２の異常判定と、メイン制御基板２１０に第２始動入賞球検知センサ４７からの第２検知信号が受信されない状態で入賞検知タイマが設定時間(判定時間)Ｔをカウントしたか否かを判定する第３の異常判定とを行なうよう構成されている。そして、異常判定部２２２は、第１〜第３の異常判定の何れかの判定結果が肯定判定となることで、後述する異常判定処理を実行して第１始動入賞部４０の異常を検知するよう設定されている。
【００７３】
また、メイン制御基板２１０の異常判定部２２２は、第２の異常判定および第３の異常判定の実行前に、第１の異常判定を実行するよう設定されている。すなわち、異常判定部２２２は、第１の異常判定の判定結果が肯定結果の場合には、第２の異常判定および第３の異常判定を実行することなく、異常判定処理を行なうように設定されている。
【００７４】
ここで、第１の異常判定の基準となる基準カウント数は、実施例では「５」に設定されている。近接スイッチである第１始動入賞球検知センサ４５は、パチンコ球が近接スイッチ４６を通過する際に、瞬時に数回(実際には２〜３回)の球検知がなされるチャタリングが発生することがあり、このチャタリングによる異常検知の判定とは別に、不正による異常を明確に判定し得るように基準カウント数を「５」に設定してある。
【００７５】
また、入賞球検知タイマの設定時間Ｔは、第１球排出路１１１に配設された第１始動入賞球検知センサ４５および第２始動入賞球検知センサ４７の球通過方向における間隔に基づき、実施例では「２秒」に設定されている。実施例の配設態様では、第１始動入賞口４３に入賞したパチンコ球が第１球排出路１１１を正常に通過する場合、第１始動入賞球検知センサ４５による当該パチンコ球の検知から第２始動入賞球検知センサ４７による当該パチンコ球の検知までは２秒以下である。従って、入賞検知タイマの設定時間Ｔを「２秒」に設定することで、第１始動入賞球検知センサ４５によるパチンコ球の検知から２秒経過しても第２始動入賞球検知センサ４７において該パチンコ球の検知がなされない場合には、異常が発生したと判定することが可能である。
【００７６】
(異常判定処理について)
実施例では、メイン制御基板２１０の異常判定部２２２における第１〜第３の異常判定の何れかの判定結果が肯定判定となった場合に、該異常判定部２２２が実行する異常判定処理として、報知制御手段である統括制御基板２１１に異常報知信号を送信して、該統括制御基板２１１では、所定の報知手段を作動制御して異常を報知するようになっている。ここで、報知手段としては、図１４に示すように、ランプ制御基板２１５により制御される前記ランプ装置２１８、音制御基板２１６により制御される前記スピーカ２１９、表示制御基板２１４により制御される図柄表示装置９０の第１〜第３表示体９１,９２,９３等である。従って、第１〜第３の異常判定の何れかの判定結果が肯定判定となった場合に、メイン制御基板２１０の異常判定部２２２からの異常報知信号を受信した統括制御基板２１１は、ランプ制御基板２１５、音制御基板２１６および表示制御基板２１４の全てまたは何れかに制御信号を送信して、ランプ装置２１８、スピーカ２１９および図柄表示装置９０の全てまたは何れかにより異常報知がなされる。
【００７７】
また、実施例のパチンコ機１０では、図１４に示すように、メイン制御基板２１０に接続された球払出制御基板２１２が、外部中継端子２２５を介してホールコンピュータ２２６に接続されている。従って実施例では、異常判定部２２２が実行する異常判定処理として、該異常判定部２２２は、球払出制御基板２１２を介してホールコンピュータ２２６に異常報知信号を送信するように設定されており、該ホールコンピュータ２２６に対しても異常報知がなされる。なお、メイン制御基板２１０は、球払出制御基板２１２を介さずに直接ホールコンピュータ２２６と接続された構成であってもよい。
【００７８】
メイン制御基板２１０のメイン制御ＣＰＵ２１０Ａは、異常判定部２２２における第１〜第３の異常判定の何れかの判定結果が肯定判定となった場合に、球払出制御基板２１２に制御信号を送信して、球払出装置１７７の球払出作動を停止する制御が実行される。
【００７９】
次に、メイン制御基板２１０の異常判定部２２２が行なう異常判定実行処理につき、図１６を引用して具体的に説明する。実施例では、図１６に示す異常判定実行処理が、４ｍｓ毎に実行されるように設定されている。なお、実施例では、前述したように、第１の異常判定の基準となる基準カウント数が「５」に設定されていることから、入賞カウント数が「０」の場合、入賞カウント数が「１」の場合、「２〜４」の場合、「５」の場合に各々における異常判定実行処理について説明する。
【００８０】
(入賞カウント数が「０」の場合)
メイン制御基板２１０の異常判定部２２２は、先ず、カウント部２２０により更新された入賞球カウント数が基準カウント数以上か否かを判定する(ステップＳ２０)。この判定が、前述した第１の異常判定である。ここで、入賞カウント数が「０」であるから第１の異常判定の判定結果が否定判定となり、異常判定部２２２は、第２始動入賞球検知センサ４７からの第２検知信号をメイン制御基板２１０が受信したか否かを判定する(ステップＳ２１)。異常判定部２２２は、メイン制御基板２１０が第２検知信号を受信していないと判定した場合に、入賞検知タイマが「０」であるか否かを判定する(ステップＳ２５)。入賞カウント数が「０」の場合(第１検知信号をメイン制御基板２１０が受信していない場合)は、入賞検知タイマが設定されていないから該該入賞検知タイマは「０」となっており、異常判定部２２２は、第１始動入賞部４０に異常が発生していないと判定して当該異常判定実行処理を終了する。
【００８１】
また、異常判定部２２２は、ステップＳ２１において、メイン制御基板２１０が第２始動入賞球検知センサ４７からの第２検知信号を受信したと判定した場合に、入賞カウント数が「０」か否かを判定する(ステップＳ２２)。この判定が、前述した第２の異常判定である。ここで、入賞カウント数は「０」であるから、メイン制御基板２１０が第１始動入賞球検知センサ４５からの第１検知信号を受信していない状態で第２始動入賞球検知センサ４７からの第２検知信号を受信したことになる。従って、第２の異常判定の判定結果が肯定判定となり、異常判定部２２２は、異常が発生したと判定して前述した異常判定処理を実行する(ステップＳ２８)。そして異常判定部２２２は、入賞検知タイマをクリアして(ステップＳ２９)、当該異常判定実行処理を終了する。
【００８２】
(入賞カウント数が「１」の場合)
メイン制御基板２１０の異常判定部２２２は、先ず、カウント部２２０により更新された入賞球カウント数が基準カウント数以上か否かを判定する(ステップＳ２０)。この判定が、前述した第１の異常判定である。入賞カウント数が「１」であるから第１の異常判定の判定結果は否定判定となり、異常判定部２２２は、第２始動入賞球検知センサ４７からの第２検知信号をメイン制御基板２１０が受信したか否かを判定する(ステップＳ２１)。異常判定部２２２は、メイン制御基板２１０が第２検知信号を受信したと判定した場合に、入賞カウント数が「０」であるか否かを判定する(ステップＳ２２)。ここで、入賞カウント数が「１」であるから、異常判定部２２２は、入賞カウント数を１減算し(ステップＳ２３)、再び入賞カウント数が「０」であるか否かを判定する(ステップＳ２４)。入賞カウント数は「１」から１減算されて「０」になっているから、異常判定部２２２は、入賞検知タイマをクリアして(ステップＳ２９)、当該異常判定実行処理を終了する。
【００８３】
一方、ステップＳ２１において、第２始動入賞球検知センサ４７からの第２検知信号をメイン制御基板２１０が受信していないと判定した場合は、異常判定部２２２は、入賞検知タイマが「０」であるか否かを判定する(ステップＳ２５)。入賞カウント数が「１」の場合には、第１始動入賞球検知センサ４５からの第１検知信号の受信と共に設定された入賞検知タイマが「０」となっていないから、異常判定部２２２は、該入賞検知タイマを減算して(ステップＳ２６)、再び入賞検知タイマが「０」になったか否かを判定する(ステップＳ２７)。この判定が、前述した第３の異常判定である。ここで、入賞検知タイマが「０」になっていないと判定した場合(第３の異常判定の判定結果が否定判定の場合)は、異常判定部２２２は、異常が発生していないと判定して当該異常判定実行処理を終了する。
【００８４】
また、ステップＳ２７において、入賞検知タイマが「０」と判定した場合(第３の異常判定の判定結果が肯定判定の場合)には、第２始動入賞球検知センサ４７からの第２検知信号をメイン制御基板２１０が受信していない状態で、入賞検知タイマが設定時間Ｔをカウントしたことになる。すなわち、第１始動入賞球検知センサ４５からの第１検知信号をメイン制御基板２１０が受信してから設定時間(判定時間)Ｔを経過しても、第２始動入賞球検知センサ４７からの第２検知信号をメイン制御基板２１０が受信していない状態である。従って、異常判定部２２２は、異常が発生したと判定して前述した異常判定処理を実行する(ステップＳ２８)。そして異常判定部２２２は、入賞検知タイマをクリアして(ステップＳ２９)、当該異常判定実行処理を終了する。
【００８５】
(入賞カウント数が「２」〜「４」の場合)
メイン制御基板２１０の異常判定部２２２は、先ず、カウント部２２０により更新された入賞球カウント数が基準カウント数以上か否かを判定する(ステップＳ２０)。入賞カウント数が「２」〜「４」であるから、異常判定部２２２は、第２始動入賞球検知センサ４７からの第２検知信号をメイン制御基板２１０が受信したか否かを判定する(ステップＳ２１)。異常判定部２２２は、メイン制御基板２１０が第２検知信号を受信したと判定した場合に、入賞カウント数が「０」であるか否かを判定する(ステップＳ２２)。そして、入賞カウント数が「２」〜「４」であるから、異常判定部２２２は、入賞カウント数を１減算し(ステップＳ２３)、再び入賞カウント数が「０」であるか否かを判定する(ステップＳ２４)。ここで、入賞カウント数は１減算されるが「０」にはなっていないから、異常判定部２２２は、入賞検知タイマが「０」であるか否かを判定する(ステップＳ２５)。
【００８６】
入賞カウント数が「２」〜「４」の場合には、第１始動入賞球検知センサ４５からの第１検知信号の受信と共に設定された入賞検知タイマが「０」となっていないから、異常判定部２２２は、該入賞検知タイマを減算して(ステップＳ２６)、再び入賞検知タイマが「０」になったか否かを判定する(ステップＳ２７)。この判定が、前述した第３の異常判定である。そして、入賞検知タイマが「０」になっていないと判定した場合(第３の異常判定の判定結果が否定判定の場合)は、異常判定部２２２は、異常が発生していないと判定して当該異常判定実行処理を終了する。
【００８７】
一方、ステップＳ２１において、第２始動入賞球検知センサ４７からの第２検知信号をメイン制御基板２１０が受信していないと判定した場合は、異常判定部２２２は、入賞検知タイマが「０」であるか否かを判定する(ステップＳ２５)。入賞カウント数が「２」〜「４」の場合には、前述したように、第１始動入賞球検知センサ４５からの第１検知信号の受信と共に設定された入賞検知タイマが「０」となっていないから、異常判定部２２２は、該入賞検知タイマを減算して(ステップＳ２６)、再び入賞検知タイマが「０」になったか否かを判定する(ステップＳ２７)。そして、入賞検知タイマが「０」になっていないと判定した場合(第３の異常判定の判定結果が否定判定の場合)は、異常判定部２２２は、異常が発生していないと判定して当該異常判定実行処理を終了する。
【００８８】
また、ステップＳ２７において、入賞検知タイマが「０」と判定した場合(第３の異常判定の判定結果が肯定判定の場合)には、第２始動入賞球検知センサ４７からの第２検知信号をメイン制御基板２１０が受信していない状態で、第２入賞検知タイマが設定時間Ｔをカウントしたことになる。すなわち、第１始動入賞球検知センサ４５からの第１検知信号をメイン制御基板２１０が受信してから設定時間Ｔを経過しても、第２始動入賞球検知センサ４７からの第２検知信号をメイン制御基板２１０が受信していない状態である。従って、異常判定部２２２は、異常が発生したと判定して前述した異常判定処理を実行する(ステップＳ２８)。そして異常判定部２２２は、入賞検知タイマをクリアして(ステップＳ２９)、当該異常判定実行処理を終了する。
【００８９】
(入賞カウント数が「５」の場合)
メイン制御基板２１０の異常判定部２２２は、先ず、カウント部２２０により更新された入賞球カウント数が基準カウント数以上か否かを判定する(ステップＳ２０)。この判定が、前述した第１の異常判定である。ここで、入賞カウント数が「５」であるから第１の異常判定の判定結果が肯定判定となり、異常判定部２２２は、第１始動入賞部４０に異常が発生したと判定して異常判定処理を行なう(ステップＳ２８)。そして、異常判定部２２２は、入賞検知タイマをクリアした後(ステップＳ２９)、当該異常判定実行処理を終了する。なお、入賞カウント数が「６」以上の場合も、異常判定部２２２は異常判定処理を行なう。
【００９０】
(実施例の作用)
実施例のパチンコ機１０では、当該パチンコ機１０の組立て工程において、第１球排出ユニット１１０においては、設置部材１００の第２設置部１０５に取付ける前工程において、第１本体部材１１５と第２本体部材１１６とを取付けると共に、第１本体部材１１５の後側から、第１センサ取付部１４０に対して第１始動入賞球検知センサ４５を取付け、第２センサ取付部１４５に対して第２始動入賞球検知センサ４７を取付け、第３センサ取付部１５０に対して磁気検知センサ１５５を取付ける。また第１本体部材１１５の後側から、第４センサ取付部１６５に対して第１普通入賞球検知センサ５９を取付ける。そして、第１始動入賞球検知センサ４５、第２始動入賞球検知センサ４７、磁気検知センサ１５５および第１普通入賞球検知センサ５９の取付け作業が予め完了した第１球排出ユニット１１０を、設置部材１００の第２設置部１０５に取付け、当該第１球排出ユニット１１０や、図柄表示装置９０の第１〜第３表示体９１,９２,９３等を取付けた後、後工程において当該設置部材１００を遊技盤３０の後側に取付ける。また、第２球排出ユニット１８０についても、設置部材１００の第３設置部１０６に取付ける前工程において、第３始動入賞球検知センサ６６および第２普通入賞球検知センサ７７等の取付け作業を行ない、これらセンサ６６,７７が取付けられた当該第２球排出ユニット１８０を、設置部材１００の第３設置部１０６に取付ける。
【００９１】
従って、実施例のパチンコ機１０では、第１始動入賞部４０に関連する第１始動入賞球検知センサ４５、第２始動入賞球検知センサ４７および磁気検知センサ１５５を、第１球排出ユニット１１０に取付けると共に、同一工程において纏めて取付けることができるから、これら各検知センサ４５,４７,１５５の取付け忘れを防止し得る。また、第１センサ取付部１４０に設けた斜状部１４３と第１始動入賞球検知センサ４５のケース体１９０に設けた切欠き部１９２とが整合することで、該第１センサ取付部１４０に対する第１始動入賞球検知センサ４５の取付けが可能となっているから、ケース体１９５に切欠き部が設けられていない第２始動入賞球検知センサ４７を第１センサ取付部１４０に取付けることが不可能であり、第１センサ取付部１４０に第２始動入賞球検知センサ４７を取付ける作業ミスを防止し得る。更に、第２センサ取付部１４５に設けた突状部１４８と第２始動入賞球検知センサ４７のケース体１９５に設けた凹部１９７とが整合することで、該第２センサ取付部１４５に対する第２始動入賞球検知センサ４７の取付けが可能となっているから、ケース体１９０に凹部が設けられていない第１始動入賞球検知センサ４５を第２センサ取付部１４５に取付けることが不可能であり、第２センサ取付部１４５に第１始動入賞球検知センサ４５を取付ける作業ミスを防止し得る。
【００９２】
そして、設置部材１００の第２設置部１０５に対して当該第１球排出ユニット１１０を取付けた状態では、該第１球排出ユニット１１０の後側が、設置部材１００の設置壁部１０１および外周壁部１０２や、該設置部材１００に取付けた図柄表示装置９０の第２表示体９２等で囲繞されるから、第１球排出ユニット１１０の裏側へ指先や不正行為を行なうための棒材や工具をアクセスすることが不可能である。従って、第１始動入賞球検知センサ４５、第２始動入賞球検知センサ４７および磁気検知センサ１５５が、第１球排出ユニット１１０に設けられた第１センサ取付部１４０、第２センサ取付部１４５および第３センサ取付部１５０に対し、何れも第１球排出ユニット１１０の後側から取付けるよう構成されており、また当該第１球排出ユニット１１０の前側へ取外すことも不可能となっているから、これら各検知センサ４５,４７,１５５を、不正行為を目的として取外すことを阻止し得る。
【００９３】
そして、実施例のパチンコ機１０は、前述したように、パチンコ遊技において、ハンドルユニット１８により発射操作を行なうことで球送り装置および打球発射装置が作動し、上球皿１６内に貯留されたパチンコ球が、遊技盤３０の遊技領域３４内へ所定間隔毎に打ち出される。そして、遊技者に有利な特定条件である大当りが発生する前では、打球発射装置の打出し強さを調節して、遊技領域３４へ打出された各パチンコ球が主に第１遊技領域３４Ａを流下するようにする。これにより、第１遊技領域３４Ａに打出されたパチンコ球は、遊技釘３６に接触しながら流下し、該パチンコ球の一部は、第１始動入賞部４０の第１始動入賞口４３や、第１普通入賞口５８,５８に入賞する。ここで、第１始動入賞口４３に入賞したパチンコ球は、第１球排出ユニット１１０の第１球排出路１１１を移動する途中で先ず第１始動入賞球検知センサ４５で検知され、該第１始動入賞球検知センサ４５は、メイン制御基板２１０へ第１検知信号を送信する。第１検知信号を受信したメイン制御基板２１０のメイン制御ＣＰＵ２１０Ａは、大当り抽選を行なう一方、統括制御基板２１１に所要の制御信号を出力して、図柄表示装置９０の第１〜第３表示体９１,９２,９３で図柄変動演出を行なわせると共に、中枠１２の後側に配設された球払出制御基板２１２に制御信号を出力して、球払出装置２１７に所定数の賞球を払い出させる。
【００９４】
第１始動入賞球検知センサ４５で検知されたパチンコ球は、適宜時間後(設定時間Ｔより短い時間内)に第２始動入賞球検知センサ４７で検知され、該第２始動入賞球検知センサ４７は、メイン制御基板２１０へ第２検知信号を送信する。そして、第２始動入賞球検知センサ４７で検知されたパチンコ球は、第１球排出路１１１の第１球通出口１３３から球処理部へ通出案内される。
【００９５】
メイン制御基板２１０のメイン制御ＣＰＵ２１０Ａにおける大当り抽選の結果として、第１の大当りが成立した場合には、図柄表示装置９０の第１〜第３表示体９１,９２,９３での図柄変動演出の後に、該第１〜第３表示体９１,９２,９３の各表示部９１Ａ,９２Ａ,９３Ａに所定の図柄組合わせで図柄が停止表示されると共に、第１特別入賞部５０の第１特別入賞口５１が開放し、該第１特別入賞口５１に対して多数のパチンコ球が入賞可能となる。これにより、第１遊技領域３４Ａに打出されたパチンコ球は、遊技釘３６に接触しながら流下し、その一部が第１特別入賞口５１に入賞するようになる。そして、第１特別入賞口５１から入賞したパチンコ球を検知した第１特別入賞球検知センサ５４からの検知信号を受信したメイン制御基板２１０のメイン制御ＣＰＵ２１０Ａは、中枠１２の後側に配設された球払出制御基板２１２に制御信号を出力して、球払出装置２１７に所定数の賞球を払い出させる。
【００９６】
一方、メイン制御基板２１０のメイン制御ＣＰＵ２１０Ａにおける大当り抽選の結果として、第２の大当りが成立した場合には、図柄表示装置９０の第１〜第３表示体９１,９２,９３での図柄変動演出の後に、該第１〜第３表示体９１,９２,９３の各表示部９１Ａ,９２Ｂ,９３Ｃに所定の図柄組合わせで図柄が停止表示されると共に、第２特別入賞部７０の第２特別入賞口７１が開放し、該第２特別入賞口７１に対して多数のパチンコ球が入賞可能となる。これにより、第２遊技領域３４Ｂへパチンコ球が打ち出されるように操作ハンドルユニット１８を調整し、第２遊技領域３４Ｂへ打出されたパチンコ球は、遊技釘３６に接触しながら流下し、その一部がゲート７９を通過すると共に、第２特別入賞口７１に入賞するようになる。第２特別入賞口７１に入賞したパチンコ球を検知した第２特別入賞球検知センサ７４からの検知信号を受信したメイン制御基板２１０のメイン制御ＣＰＵ２１０Ａは、中枠１２の後側に配設された球払出制御基板２１２に制御信号を出力して、球払出装置２１７に所定数の賞球を払い出させる。
【００９７】
また、パチンコ球がゲート７９を通過したことを契機として、第２始動入賞部６０の開放のための抽選が行なわれ、該抽選結果が肯定の場合は、第２始動入賞部６０の開閉体６４,６４が開放制御されて第２始動入賞口６１が開放され、該第２始動入賞口６１に対するパチンコ球の入賞が可能となる。
【００９８】
第２始動入賞口６１に入賞したパチンコ球は、第２球排出ユニット１８０に配設された第３始動入賞球検知センサ６６で検知され、該第３始動入賞球検知センサ６６は、メイン制御基板２１０へ第３検知信号を送信する。第３始動入賞球検知センサ６６からの第３検知信号を受信したメイン制御基板２１０は、大当り抽選を行なう一方、統括制御基板２１１に所要の制御信号を出力して、図柄表示装置９０の第１〜第３表示体９１,９２,９３で図柄変動演出を行なわせると共に、中枠１２の後側に配設された球払出制御基板２１２に制御信号を出力して、球払出装置２１７に所定数の賞球を払い出させる。なお、第３始動入賞球検知センサ６６で検知されたパチンコ球は、第４球排出路１８１を介して球処理部へ通出処理される。
【００９９】
一方、メイン制御基板２１０に備えられた異常判定部２２２では、第１始動入賞球検知センサ４５からの第１検知信号および第２始動入賞球検知センサ４７からの第２検知信号を元に、所定時間(４ｍｓ)毎に異常判定実行処理を行なっている。ここで、異常判定部２２２は、異常判定実行処理において、カウント部２２０により更新された入賞カウント数が予め設定された基準カウント数以上となったと判定した場合には、異常判定処理を実行して統括制御基板２１１に異常報知信号を送信し、該統括制御基板２１１は、ランプ装置２１８、スピーカ２１９、図柄表示装置９０の第１〜第３表示体９１,９２,９３の全てまたは何れかを作動させ、異常報知が行なわれる。また、メイン制御基板２１０は、球払出制御基板２１２を介してホールコンピュータ２２６に異常検知信号を送信する。
【０１００】
また、異常判定部２２２は、異常判定実行処理において、第１始動入賞球検知センサ４５からの第１検知信号の受信から設定時間Ｔ(２秒)を通過しても第２始動入賞球検知センサ４７からの第２検知信号を受信したと判定しない場合には、異常判定処理を実行して統括制御基板２１１およびホールコンピュータ２２６に対して異常報知信号を送信して、第１始動入賞部４０の異常発生を報知する。更に、異常判定部２２２は、異常判定実行処理において、第１始動入賞球検知センサ４５からの第１検知信号を受信していないにも拘わらず、第２始動入賞球検知センサ４７からの第２検知信号を受信したと判定した場合には、異常判定処理を実行して統括制御基板２１１およびホールコンピュータ２２６に対して異常報知信号を送信して、第１始動入賞部４０の異常発生を報知する。
【０１０１】
従って、第１の異常判定において、第１始動入賞球検知センサ４５からの第１検知信号の入力に伴う入賞カウント数が基準カウント数以上となった場合に、異常判定部２２２が第１始動入賞口４３の入賞異常を検知するよう設定されているから、不正や検知異常を適切に確認することができる。また、第１始動入賞球検知センサ４５からの第１検知信号がメイン制御基板２１０に入力されることなく(第１始動入賞球検知センサ４５が入賞球を検知することなく)、第２始動入賞球検知センサ４７からの第２検知信号がメイン制御基板２１０に入力された(第２始動入賞球検知センサ４７が入賞球を検知した)場合は、異常判定部２２２が第１始動入賞口４３の入賞異常を検知するよう設定されているから、不正や検知異常を適切に確認することができる。また、第１始動入賞球検知センサ４５からの第１検知信号がメイン制御基板２１０に入力されてから(第１始動入賞球検知センサ４５が入賞球を検知してから)入賞検知タイマが設定時間Ｔをカウントしても第２始動入賞球検知センサ４７からの第２検知信号がメイン制御基板２１０に入力されない(第２始動入賞球検知センサ４７が入賞球を検知しない)場合は、異常判定部２２２が入賞口の入賞異常を検知するように設定されているから、不正や検知異常を適切に確認することができる。更に、入賞カウント数が基準カウント数以上となった場合(第１の異常判定が肯定判定となった場合)に、第２の異常判定および第３の異常判定を実行することなく第１始動入賞口４３の入賞異常を検知するよう設定されているから、入賞異常を効率的に検知し得る。
【０１０２】
また、異常判定部２２２が入賞異常を検知した場合に、ランプ装置２１８、スピーカ２１９または図柄表示装置９０の第１〜第３表示体９１,９２,９３の全てまたは何れかが作動して、第１始動入賞部４０における入賞異常の発生が報知されると共に、ホールコンピュータ２２６にも入賞異常の発生が報知されるから、不正の発生や、チャタリングによる異常検知の発生を適切に確認することができる。更に、遊技領域３４に開口した状態で枠状装飾部材８０に設けられた第１始動入賞口４３が不正行為の対象となっても、該第１始動入賞口４３における入賞異常を適切に検知することができる。
【０１０３】
更に、第１球排出路１１１の屈曲部を挟んだ上流側に第１始動入賞球検知センサ４５が配設されると共に、該屈曲部の下流側に第２始動入賞球検知センサ４７が配設されているから、第１始動入賞球検知センサ４５による検知から第２始動入賞球検知センサ４７による検知までの間にパチンコ球の移動方向が変更され、第１始動入賞球検知センサ４５で検知されたパチンコ球を、屈曲部で減速、減勢した後に第２始動入賞球検知センサ４７で検知させることができる。また、第２始動入賞球検知センサ４７を通過する際のパチンコ球が減速されているから、該第２始動入賞球検知センサ４７でのパチンコ球の検知を適切に行なうことができる。更に、第１始動入賞球検知センサ４５でのパチンコ球の検知と第２始動入賞球検知センサ４７でのパチンコ球の検知とが所定の時間差で行なわれるから、パチンコ球による通常の検知と異常による検知とを判別することができる。そして、第１始動入賞球検知センサ４５と第２始動入賞球検知センサ４７との配設位置が近くても、パチンコ球の正常検知か異常検知かを適切に判断することができる。
【０１０４】
また、実施例のパチンコ機１０では、第１始動入賞球検知センサ４５として誘導型の近接スイッチを採用すると共に、第２始動入賞球検知センサ４７としてプッシュタイプの機械式スイッチを採用しているので、第１始動入賞部４０の近傍で電波発信機器により電波が発信された場合に、第１始動入賞球検知センサ４５が該電波により第１検知信号をメイン制御基板２１０へ送信しても、第２始動入賞球検知センサ４７は該電波を検知しないから、第２検知信号をメイン制御基板２１０へ送信しない。すなわち、第１始動入賞球検知センサ４５からの第１検知信号がメイン制御基板２１０に入力されてから入賞検知タイマが設定時間Ｔをカウントしても第２始動入賞球検知センサ４７からの第２検知信号がメイン制御基板２１０に入力されないので、異常判定部２２２が入賞口の入賞異常を検知するようになり、電波による不正や検知異常を適切に確認することができる。
【０１０５】
更に、実施例では、誘導型の近接スイッチおよび機械式スイッチの組合わせとしたことで、糸や紐等を使った不正行為の検知だけでなく、電波を使用した不正行為を検知する電波センサが不要となり、コストを削減し得ると共に、不正検知制御の簡略化を図り得る。更に、２個の誘導型の近接スイッチを使用する場合には、パチンコ球の通過方向が夫々異なるように(配設向きが異なるように)両スイッチを球排出路に配設する必要があるため、該球排出路の形状によっては配設が不可能な場合もあり得るが、実施例のように誘導型の近接スイッチおよび機械式スイッチの組合わせとしたことで、パチンコ球の通過方向が同じ方向となる向きで両スイッチを球排出路に配設することが可能となり、直線状に延在する球排出路にも配設し得るので配設位置の自由度が高くなる。
【０１０６】
実施例では、屈曲部が設けられた第１球排出路１１１において、該屈曲部を挟んで第１始動入賞球検知センサ４５および第２始動入賞球検知センサ４７を配設したので、第１始動入賞部４０の第１始動入賞口４３から、針金や棒材等の異物を差し込もうとした場合、該異物の先端が第１球排出路１１１の前記屈曲部で引っ掛かって該異物の差し込みを阻止し得るので、不正行為を防止することができる。
【０１０７】
(変更例)
本発明に係る遊技機は、実施例に例示の形態に限らず種々の変更が可能である。
（１）実施例では、第１球排出路１１１において、図柄表示装置９０での図柄変動演出の始動契機となる第１検知信号を送出する第１始動入賞球検知センサ４５を該第１球排出路１１１の上流側に配設すると共に、図柄変動演出の始動契機とならない第２検知信号を送出する第２始動入賞球検知センサ４７を該第１始動入賞球検知センサ４５の下流側に配設する形態を例示したが、第２始動入賞球検知センサ４７を上流側に配設すると共に、第１始動入賞球検知センサ４５を該第２始動入賞球検知センサ４７の下流側に配設するようにしてもよい。
（２）実施例では、第１始動入賞球検知センサ４５として近接スイッチを採用すると共に第２始動入賞球検知センサ４７として機械式スイッチを採用したが、第１始動入賞球検知センサ４５を機械式スイッチとすると共に第２始動入賞球検知センサ４７を近接スイッチとしてもよい。
（３）第１始動入賞球検知センサ４５および第２始動入賞球検知センサ４７の配設位置は、実施例で例示した間隔に限定されず、更に離間して配設するようにしてもよい。なお、第１始動入賞球検知センサ４５と第２始動入賞球検知センサ４７の配設間隔に応じて、判定時間としてタイマ部２２１で設定される入賞検知タイマの設定時間Ｔが変更される。
（４）第１球排出路１１１における横通路部１３２の中途部分に第１センサ取付部１４０を設けて、第１始動入賞球検知センサ４５を、近接スイッチ４６の球通過方向を横向きとした姿勢で横通路部１３２に配設するようにしてもよい。この場合には、第１球排出路１１１における横通路部１３２に第１始動入賞球検知センサ４５が配設されると共に、屈曲部を挟んだ縦通路部１３１に第２始動入賞球検知センサ４７が配設されることになる。また、第１球排出路１１１における横通路部１３２の中途部分に第２センサ取付部１４５を設けて、第２始動入賞球検知センサ４７を、球通過孔１９１の球通過方向を横向きとした姿勢で横通路部１３２に配設するようにしてもよい。この場合には、第１球排出路１１１における縦通路部１３１に第１始動入賞球検知センサ４５が配設されると共に、屈曲部を挟んだ横通路部１３２に第２始動入賞球検知センサ４７が配設されることになる。
（５）第１球排出路１１１における縦通路部１３１と横通路部１３２との屈曲部における内側角部に、糸や紐等の線状体を切断可能な切断刃を配設するようにしてもよい。このような屈曲部の内側角部に切断刃を配設することで、パチンコ球に連結した線状体を使用して該パチンコ球を操作する不正行為を阻止することが可能である。
（６）異常判定実行処理における第１の異常判定に関する基準カウント数は、実施例で例示した「５」に限定されるものではなく、入賞球検知センサの検知異常や不正行為を適切に判定し得れば「４」以下または「６」以上に設定してもよい。
（７）入賞口に対する異常判定実行処理は、実施例で例示した始動入賞口に限定されず、普通入賞口や特別入賞装置に２つの入賞検知センサを配設することで実施可能である。
（８）実施例では、図１５に示す始動入力処理として、第１始動入賞部４０の第１始動入賞口４３におけるパチンコ球の入賞有無を判定(ステップＡ１１〜ステップＡ１６)した後、第２始動入賞部６０の第２始動入賞口６１におけるパチンコ球の入賞有無を判定(ステップＡ１７〜ステップＡ２０)する処理を例示したが、第１始動入賞口４３より第２始動入賞部６０の第２始動入賞口６１の方が遊技者に有利な特別遊技状態(確変、時短、ラウンド数、出玉数等の特典量)の割り振りが高く設定されている場合には、第２始動入賞部６０の第２始動入賞口６１におけるパチンコ球の入賞有無を判定(ステップＡ１７〜ステップＡ２０)した後、第１始動入賞部４０の第１始動入賞口４３におけるパチンコ球の入賞有無を判定(ステップＡ１１〜ステップＡ１６)するようにしてもよい。
（９）メイン制御基板２１０の異常判定部２２２における第１〜第３の異常判定の何れかの判定結果が肯定判定となった場合に該異常判定部２２２が実行する異常判定処理は、第１〜第３の各異常判定毎に異なるようにしてもよい。すなわち、第１の異常判定の判定結果が肯定判定となった場合には第１異常判定処理を実行させ、第２の異常判定の判定結果が肯定判定となった場合には第２異常判定処理を実行させると共に、第３の異常判定の判定結果が肯定判定となった場合には第３異常判定処理を実行させるようにしてもよい。そして、第１〜第３異常判定処理毎に報知手段における作動態様を異ならせたり、第１〜第３異常判定処理毎に異なる報知手段が作動するよう構成すれば、第１〜第３異常判定におけるどの異常判定の判定結果が肯定判定となったかを確認することが可能となる。
（１０）メイン制御基板２１０の異常判定部２２２による第１〜第３の異常判定の何れかの判定結果が肯定判定となった際に、メイン制御ＲＡＭに記憶されている第１始動保留情報の保留数が１以上であったり、第２始動保留情報の保留数が１以上である場合には、各始動保留情報の保留数をクリアする処理を行なうようにしてもよい。
（１１）実施例では、統括制御基板２１１と、表示制御基板２１４、ランプ制御基板２１５、音制御基板２１６とが、各々個別に構成されているが、表示制御基板２１４、ランプ制御基板２１５、音制御基板２１６が統括制御基板２１１と一体に構成されて、第１〜第３表示体９１,９２,９３の表示制御を行なう表示制御部、ランプ装置２１８の点灯制御を行なうランプ制御部、スピーカ２１９の制御を行なう音制御部が該統括制御基板２１１に設けられたものであってもよい。また、表示制御基板２１４が統括制御基板２１１としての役割をなすようにして、該表示制御基板２１４が、ランプ制御基板２１５や音制御基板２１６に制御信号を出力するよう構成してもよい。
（１２）実施例では、遊技機としてのパチンコ機を示したが、遊技機はパチンコ機に限られるものではなく、アレンジボール機やスロットマシン等であってもよい。
【０１０８】
遊技機については、実施例から以下の技術的思想を把握することができる。
(付記１)
請求項１〜３の何れか一項に記載の遊技機において、
前記第１入賞球検知手段(45)および第２入賞球球検知手段(47)の何れか一方は電波を検知可能なセンサであり、該第１入賞球検知手段(45)および第２入賞球球検知手段(47)の何れか他方は該電波を検知不能なセンサである。
付記１の発明によれば、第１入賞球検知手段および第２入賞球検知手段の近くで電波が発信された場合に、第１入賞球検知手段および第２入賞球検知手段において電波を検知可能な検知手段だけが反応し、判定時間が経過しても電波を検知不能な検知手段は反応しないので、異常判定手段が異常の発生を判断することが可能となり、電波発信手段の使用による不正行為を防止することができる。
【０１０９】
(付記２)
請求項１〜３の何れか一項に記載の遊技機において、
前記第１入賞球検知手段(45)および第２入賞球検知手段(47)は、外形形状の一部が異なるように形成され、
前記第１取付部(140)は、前記第１入賞球検知手段(45)の外形形状に合わせた形状に形成されて、前記第２入賞球検知手段(47)の取付けが不能に構成され、
前記第２取付部(145)は、前記第２入賞球検知手段(47)の外形形状に合わせた形状に形成されて、前記第１入賞球検知手段(51)の取付けが不能に構成される。
付記２の発明によれば、第１取付部に第２入賞球検知手段を取付ける作業ミスを防止し得ると共に、第２取付部に第１入賞球検知手段を取付ける作業ミスを防止し得る。
【符号の説明】
【０１１０】
３０  遊技盤
３４  遊技領域
４０  第１始動入賞部(始動入賞手段)
４５  第１始動入賞球検知センサ(第１入賞球検知手段)
４７  第２始動入賞球検知センサ(第２入賞球検知手段)
９０  図柄表示装置(囲繞部)
１００  設置部材
１０１  設置壁部(囲繞部)
１０２  外周壁部(囲繞部)
１０５  第２設置部(設置部)
１１０  第１球排出ユニット(球排出部材)
１１１  第１球排出路(球排出路)
１４０  第１センサ取付部(第１取付部)
１４５  第２センサ取付部(第２取付部)
１５０  第３センサ取付部(第３取付部)
１５５  磁気検知センサ(磁気検知手段)
２２２  異常判定部(異常判定手段)
Ｔ  設定時間(判定時間)
【図１】
2015029730.tif 000003
【図２】
2015029730.tif 000004
【図３】
2015029730.tif 000005
【図４】
2015029730.tif 000006
【図５】
2015029730.tif 000007
【図６】
2015029730.tif 000008
【図７】
2015029730.tif 000009
【図８】
2015029730.tif 000010
【図９】
2015029730.tif 000011
【図１０】
2015029730.tif 000012
【図１１】
2015029730.tif 000013
【図１２】
2015029730.tif 000014
【図１３】
2015029730.tif 000015
【図１４】
2015029730.tif 000016
【図１５】
2015029730.tif 000017
【図１６】
2015029730.tif 000018